(57)【特許請求の範囲】
【請求項１】
ステーション（ＳＴＡ）によって実行される方法であって、
前記ＳＴＡによって、マルチユーザ無線ローカルエリアネットワーク（ＷＬＡＮ）におけるアクセスポイント（ＡＰ）からトリガフレームにおいて、オーバラッピング基本サービスセット（ＯＢＳＳ）空間再使用（ＯＢＳＳ  ＳＲ）に利用可能な帯域幅の１つまたは複数のサブバンドについての制御情報および前記１つまたは複数のサブバンドについての送信電力パラメータを、受信することと、
前記ＳＴＡによって、信号フィールドを含む物理（ＰＨＹ）レイヤプリアンブルを生成することであって、前記信号フィールドは、ＳＲについての前記１つまたは複数のサブバンドのインジケーションおよび前記ＳＲについての電力閾値を含む、ことと、
前記ＳＴＡによって、前記プリアンブル付きのプロトコルデータユニット（ＰＤＵ）を送信することであって、前記プリアンブルは、ＢＳＳ内の別のＳＴＡによって検出可能である、ことと
を備える方法。
【請求項２】
前記ＰＤＵは、ＰＨＹレイヤコンバージェンス手順（ＰＬＣＰ）ＰＤＵ（ＰＰＤＵ）である、請求項１の方法。
【請求項３】
前記信号フィールドは、ＨＥ−ＳＩＧＡ１フィールドである、請求項１の方法。
【請求項４】
前記ＢＳＳは、ＯＢＳＳである、請求項１の方法。
【請求項５】
ステーション（ＳＴＡ）であって、
マルチユーザ無線ローカルエリアネットワーク（ＷＬＡＮ）におけるアクセスポイント（ＡＰ）からトリガフレームにおいて、オーバラッピング基本サービスセット（ＯＢＳＳ）空間再使用（ＯＢＳＳ  ＳＲ）に利用可能な帯域幅の１つまたは複数のサブバンドについての制御情報および前記１つまたは複数のサブバンドについての送信電力パラメータを受信するように構成された送受信機と、
信号フィールドを含む物理（ＰＨＹ）レイヤプリアンブルを生成するように構成されたプロセッサであって、前記信号フィールドは、ＳＲについての前記１つまたは複数のサブバンドのインジケーションおよび前記ＳＲについての電力閾値を含む、プロセッサと、
前記プリアンブル付きのプロトコルデータユニット（ＰＤＵ）を送信するように構成された前記送受信機であって、前記プリアンブルは、ＢＳＳ内の別のＳＴＡによって検出可能である、前記送受信機と
を備えたＳＴＡ。
【請求項６】
前記ＰＤＵは、ＰＨＹレイヤコンバージェンス手順（ＰＬＣＰ）ＰＤＵ（ＰＰＤＵ）である、請求項５のＳＴＡ。
【請求項７】
前記信号フィールドは、ＨＥ−ＳＩＧＡ１フィールドである、請求項５のＳＴＡ。
【請求項８】
前記ＢＳＳは、ＯＢＳＳである、請求項５のＳＴＡ。
【発明の詳細な説明】
【背景技術】
【０００１】
関連出願の相互参照
本出願は、その内容の全てが、あらゆる目的のために本明細書において完全に記載されているかのように、参照によって本明細書に組み込まれる、2015年4月29日に出願された、米国特許仮出願第62/154621号明細書の利益を主張する。
【０００２】
インフラストラクチャ基本サービスセット（ＢＳＳ）モードにあるＷＬＡＮは、ＢＳＳのためのアクセスポイント（ＡＰ）、および／またはＡＰと関連付けられた１つまたは複数のステーション（ＳＴＡ）を有し得る。ＡＰは、トラフィックをＢＳＳに、および／またはＢＳＳから搬送し得る、ディストリビューションシステム（ＤＳ）および／または別のタイプの有線／無線ネットワークへのアクセス、および／またはそれらとのインターフェースを有し得る。ＢＳＳの外部を出所とするＳＴＡへのトラフィックは、ＡＰを通して到着し得、および／またはＳＴＡに配信され得る。ＳＴＡを出所とするＢＳＳの外部の送信先へのトラフィックは、ＡＰに送信され得、および／またはそれぞれの送信先に配信され得る。ＢＳＳ内のＳＴＡ間のトラフィックは、ＡＰを通して送信され得、送信元ＳＴＡは、トラフィックをＡＰに送信し得る。ＡＰは、トラフィックを送信先ＳＴＡに配信し得る。ＢＳＳ内のＳＴＡ間のトラフィックは、ピアツーピアトラフィックであり得る。ピアツーピアトラフィックは、８０２．１１ｅ  ＤＬＳおよび／または８０２．１１ｚトンネルＤＬＳ（ＴＤＬＳ）を使用する直接リンクセットアップ（ＤＬＳ）を用いて、送信元ＳＴＡと送信先ＳＴＡとの間で直接的に送信され得る。独立ＢＳＳ（ＩＢＳＳ）モードを使用するＷＬＡＮは、ＡＰを有さないことがあり、および／またはＳＴＡは、他のＳＴＡと直接的に通信し得る。通信のこのモードは、通信の「アドホック」モードと呼ばれることがある。
【先行技術文献】
【非特許文献】
【０００３】
【非特許文献１】IEEE Std 802.11TM-2012: Wireless LAN Medium Access Control (MAC) and/or Physical Layer (PHY) Specifications, 20.3.21.5.2
【発明の概要】
【０００４】
少なくとも１つのアクセスポイントと第１のステーションとの間でサブチャネルを使用して情報を伝達するための技法は、少なくとも１つのアクセスポイントから第１のステーションに送信された、アップリンクトリガを受信することを含み得る。技法は、第２のステーションによる空間共有のために利用可能である少なくとも１つのサブチャネルを示すマップを、第１のステーションから送信することを含み得る。技法は、データが少なくとも１つのサブチャネル上において第２のステーションから送信され、および／または少なくとも１つのアクセスポイントによって受信された旨の、少なくとも１つのアクセスポイントからの肯定応答を、第１のステーションにおいて受信することを含み得る。
【０００５】
技法は、サブチャネルを有するＯＦＤＭＡ送信が、データを送信するために利用可能であるかどうかを決定することを含み得る。技法は、第２のステーションからのＯＦＤＭＡ送信を、第１のステーションにおいて識別することを含み得る。技法は、ＯＦＤＭＡ送信用のサブチャネルにおけるエネルギーを測定することを含み得る。技法は、測定されたエネルギーを閾値と比較することを含み得る。技法は、サブチャネルが空いていることを、おそらくは、例えば、測定されたエネルギーが閾値よりも大きくないかどうかを決定することを含み得る。技法は、サブチャネルがビジーであることを、おそらくは、例えば、測定されたエネルギーが閾値よりも大きいかどうかを決定することを含み得る。閾値は、動的に決定され得、または静的であり得る。
【０００６】
技法は、第１の基本サービスセット（ＢＳＳ）内のアクセスポイント（ＡＰ）デバイスによって実行され得る。ＡＰは、第１のＢＳＳ内の１つまたは複数のステーション（ＳＴＡ）と通信していることがある。技法は、第２のＢＳＳ内の１つまたは複数のＳＴＡによるアップリンク（ＵＬ）通信のためのオーバラッピングＢＳＳ（ＯＢＳＳ）空間再使用（ＯＢＳＳ  ＳＲ）についての潜在能力を有する１つまたは複数のサブバンドを決定することを含み得る。技法は、１つまたは複数のサブバンドの各々についてのＯＢＳＳ  ＳＲに関する固有情報を決定することを含み得る。固有情報は、１つまたは複数のサブバンドの各々の、ＵＬ通信のためのＯＢＳＳ  ＳＲについての潜在能力に関連する１つまたは複数の閾値を含み得る。技法は、固有情報を第１のＢＳＳ内の１つまたは複数のＳＴＡに、送信機を介して送信することを含み得る。
【０００７】
技法は、第１の基本サービスセット（ＢＳＳ）内のステーション（ＳＴＡ）によって実行され得る。ＳＴＡは、第２のＢＳＳ内のアクセスポイント（ＡＰ）デバイスからの通信を検出することが可能であり得る。技法は、ＳＴＡによるアップリンク（ＵＬ）通信のためのオーバラッピングＢＳＳ（ＯＢＳＳ）空間再使用（ＯＢＳＳ  ＳＲ）についての潜在能力を有する１つまたは複数のサブバンドに関するＡＰからの情報を、受信機を介して検出することを含み得る。技法は、１つまたは複数のサブバンドのうちの少なくとも１つが、ＵＬ通信のためのＯＢＳＳ  ＳＲに適すると決定することを含み得る。技法は、キャリア感知多重アクセス／衝突回避（ＣＳＭＡ／ＣＡ）メカニズムを変更することであって、１つまたは複数のサブバンドのうちの少なくとも１つに、送信についての高められた優先度を割り当てること、または１つまたは複数のサブバンドのうちの少なくとも１つを含む送信チャネルに、送信についての高められた優先度を割り当て、１つまたは複数のサブバンドのうちの少なくとも１つに送信を制限するように変更することを含み得る。技法は、１つまたは複数のサブバンドのうちの少なくとも１つを使用して、ＯＢＳＳ  ＳＲ  ＵＬ送信を、送信機を介して送信することを含み得る。
【０００８】
技法は、第１の基本サービスセット（ＢＳＳ）内の第１のステーション（第１のＳＴＡ）によって実行され得る。第１のＳＴＡは、ＵＬ  ＯＦＤＭＡ  ＳＴＡであり得る。技法は、１つまたは複数のサブバンドの、第２のＢＳＳ内の１つまたは複数のＳＴＡについてのアップリンク（ＵＬ）通信のためのＯＢＳＳ空間再使用（ＯＢＳＳ  ＳＲ）についての潜在能力に関する固有情報を、第１のＢＳＳ内のアクセスポイント（ＡＰ）デバイスから、受信機を介して受信することを含み得る。固有情報は、１つまたは複数のサブバンドの各々の、ＵＬ通信のためのＯＢＳＳ  ＳＲについての潜在能力に関連する１つまたは複数の閾値を含み得る。技法は、固有情報のうちの少なくとも一部を含み得る送信を、ＡＰ、または第１のＢＳＳ内の１つまたは複数の他のステーション（ＳＴＡ）のうちの少なくとも一方に、送信機を介して送信することを含み得る。送信は、第２のＢＳＳ内の１つまたは複数のＳＴＡのうちの少なくとも１つのＳＴＡによって検出可能であり得る。第２のＢＳＳ内の１つまたは複数のＳＴＡのうちの少なくとも１つのＳＴＡは、ＯＢＳＳ  ＳＴＡであり得る。
【図面の簡単な説明】
【０００９】
【図１】ＥＤＣＡ動作を示す図である。
【図２】エネルギー検出空きチャネル方法および／またはシステムを示す図である。
【図３】ＵＬ−ＯＦＤＭＡにおけるＣＣＡを示す図である。
【図４】無線ローカルエリアネットワーク（ＷＬＡＮ）デバイスの例を示す図である。
【図５】部分的隠れノードを示す図である。
【図６】本明細書にて説明されるシステム、デバイスおよび／または方法とともに使用され得る、ＯＦＤＭＡ空間再使用情報を有する例示的なＭＡＣヘッダを示す図である。
【図７】本明細書にて説明されるシステム、デバイスおよび／または方法とともに使用され得る、ＯＦＤＭＡ空間再使用情報を有するＰＨＹプリアンブルの例を示す図である。
【図８】本明細書にて説明されるシステム、デバイスおよび／または方法とともに使用され得る、ＯＦＤＭＡ送信を用いるＯＢＳＳネットワークを示す例示的な図である。
【図９】本明細書にて説明されるシステム、デバイスおよび／または方法とともに使用され得る、１つもしくは複数または各々のＳＴＡによって再送される１つまたは複数のサブチャネル、または全てのサブチャネルについての再使用情報を示す、ＵＬ  ＯＦＤＭＡ送信における変更された空間再使用のための明示的なシグナリング手順の例を示す図である。
【図１０】本明細書にて説明されるシステム、デバイスおよび／または方法とともに使用され得る、１つもしくは複数または各々のＳＴＡによって再送される特定のサブチャネルについての再使用情報を示す、ＵＬ  ＯＦＤＭＡ送信における変更された空間再使用のための明示的なシグナリング手順の例を示す図である。
【図１１Ａ】本明細書にて説明されるシステム、デバイスおよび／または方法とともに使用され得る、ＯＦＤＭＡニューメロロジ（numerology）の例を示す図である。
【図１１Ｂ】本明細書にて説明されるシステム、デバイスおよび／または方法とともに使用され得る、ＯＦＤＭＡニューメロロジの例を示す図である。
【図１２】本明細書にて説明されるシステム、デバイスおよび／または方法とともに使用され得る、例示的な網羅的なＣＣＡ手順を示す図である。
【図１３】本明細書にて説明されるシステム、デバイスおよび／または方法とともに使用され得る、ＲＵ９に基づいた例示的な網羅的なＯＦＤＭＡベースのＣＣＡを示す図である。
【図１４Ａ】本明細書にて説明されるシステム、デバイスおよび／または方法とともに使用され得る、例示的な階層的なサブチャネルベースのＣＣＡ手順を示す図である。
【図１４Ｂ】本明細書にて説明されるシステム、デバイスおよび／または方法とともに使用され得る、例示的な階層的なサブチャネルベースのＣＣＡ手順を示す図である。
【図１５】本明細書にて説明されるシステム、デバイスおよび／または方法とともに使用され得る、インジケータトーンを用いる例示的なニューメロロジを示す図である。
【図１６】本明細書にて説明されるシステム、デバイスおよび／または方法とともに使用され得る、インジケータチャネルを使用する例示的なＯＦＤＭＡ送信を示す図である。
【図１７】本明細書にて説明されるシステム、デバイスおよび／または方法とともに使用され得る、例示的なネットワークを示す図である。
【図１８】本明細書にて説明されるシステム、デバイスおよび／または方法とともに使用され得る、インジケータチャネルを用いる例示的なサブチャネル割り当てを示す図である。
【図１９】本明細書にて説明されるシステム、デバイスおよび／または方法とともに使用され得る、例示的な受信信号を示す図である。
【図２０】ＯＦＤＭＡ送信を用いる例示的なＯＢＳＳネットワークを示す図である。
【図２１】本明細書にて説明される方法、デバイスおよび／またはシステムとともに使用され得る、変更されたＣＣＡを用いる例示的なＯＢＳＳ送信を示す図である。
【図２２Ａ】１つまたは複数の開示される実施形態が実施され得る、例示的な通信システムのシステム図である。
【図２２Ｂ】本明細書にて説明される通信システム内において使用され得る、例示的な無線送受信ユニット（ＷＴＲＵ）のシステム図である。
【発明を実施するための形態】
【００１０】
説明的な実施形態についての詳細な説明が、今から様々な図を参照しながら行われる。この説明は、可能な実施についての詳細な例を提供するが、細部は、例であることが意図されており、決して本出願の範囲を限定しないことが留意されるべきである。
【００１１】
８０２．１１ａｃインフラストラクチャモードの動作を使用して、ＡＰは、プライマリチャネルとし得る固定されたチャネル上において、ビーコンを送信し得る。このチャネルは、２０ＭＨｚ幅とし得、および／またはＢＳＳの動作チャネルとし得る。このチャネルは、ＡＰとの接続を確立するために、ＳＴＡによって使用され得る。８０２．１１システムにおける基本チャネルアクセスメカニズムは、キャリア感知多重アクセス／衝突回避（ＣＳＭＡ／ＣＡ）とし得る。動作のこのモードにおいては、ＡＰを含むＳＴＡは、プライマリチャネルを感知する。チャネルがビジーであることが検出された場合、ＳＴＡは、バックオフし得る。与えられたＢＳＳ内においては、与えられた時刻において、送信は、単一のＳＴＡに制限され得る。
【００１２】
８０２．１１ｎにおいては、高スループット（ＨＴ）ＳＴＡは、通信のために４０ＭＨｚ幅のチャネルを使用し得る。これは、プライマリ２０ＭＨｚチャネルを隣接する２０ＭＨｚチャネルと組み合わせて、４０ＭＨｚ幅の連続チャネルを形成することによって達成され得る。
【００１３】
８０２．１１ａｃにおいては、超高スループット（ＶＨＴ）ＳＴＡは、２０ＭＨｚ、４０ＭＨｚ、８０ＭＨｚおよび／または１６０ＭＨｚ幅のチャネルをサポートし得る。４０ＭＨｚおよび／または８０ＭＨｚチャネルは、上述された８０２．１１ｎと同様に、連続する２０ＭＨｚチャネルを組み合わせることによって形成される。１６０ＭＨｚチャネルは、８つの連続する２０ＭＨｚチャネルを組み合わせることによって、および／または２つの非連続８０ＭＨｚチャネルを組み合わせることによって形成され得る。これは８０＋８０構成と呼ばれることがある。８０＋８０構成については、チャネルエンコーディング後のデータは、それを２つのストリームに分割するセグメントパーサを通過させられ得る。逆高速フーリエ変換（「ＩＦＦＴ」）および／または時間領域処理が、１つもしくは複数または各々のストリーム上において別々に行われ得る。ストリームは２つのチャネル上にマッピングされ得、および／またはデータが送信され得る。受信機においては、このメカニズムが反転され得、および／または組み合わされたデータはＭＡＣに送られ得る。
【００１４】
１ＧＨｚ未満モードの動作は、８０２．１１ａｆおよび／または８０２．１１ａｈによってサポートされる。これらの仕様については、チャネル動作帯域幅および／またはキャリアは、８０２．１１ｎおよび／または８０２．１１ａｃにおいて使用されるそれらと比べて減らされ得る。８０２．１１ａｆは、ＴＶホワイトスペース（ＴＶＷＳ）スペクトルにおいて、５ＭＨｚ、１０ＭＨｚおよび／もしくは２０ＭＨｚ帯域幅をサポートし、並びに／または８０２．１１ａｈは、非ＴＶＷＳスペクトルを使用して、１ＭＨｚ、２ＭＨｚ、４ＭＨｚ、８ＭＨｚおよび／もしくは１６ＭＨｚ帯域幅をサポートする。８０２．１１ａｈについての可能な使用事例は、メータタイプ制御／マシンタイプ通信（マクロカバレッジエリア内のＭＴＣデバイス）のサポートである。ＭＴＣデバイスは、制限された帯域幅のサポート、および／または非常に長いバッテリ寿命の必要性を含む、制限された能力を有し得る。
【００１５】
８０２．１１ｎ、８０２．１１ａｃ、８０２．１１ａｆおよび／または８０２．１１ａｈなど、１つもしくは複数または多数のチャネルおよび／またはチャネル帯域幅をサポートするＷＬＡＮシステムは、プライマリチャネルとして指定されたチャネルを含み得る。プライマリチャネルは、ＢＳＳ内の１つもしくは複数または全てのＳＴＡによってサポートされる最大共通動作帯域幅に等しい帯域幅を、必ずではないが、有し得る。プライマリチャネルの帯域幅は、ＢＳＳ内において動作する１つもしくは複数または全てのＳＴＡのうちの、最小帯域幅動作モードをサポートするＳＴＡによって制限され得る。８０２．１１ａｈの例においては、ＢＳＳ内のＡＰおよび／または他のＳＴＡが、２ＭＨｚ、４ＭＨｚ、８ＭＨｚ、１６ＭＨｚ、または他のチャネル帯域幅動作モードをサポートし得るとしても、１ＭＨｚモードをサポートするＳＴＡ（例えば、ＭＴＣタイプデバイス）が存在する場合、プライマリチャネルは、１ＭＨｚ幅であり得る。キャリアセンシングおよび／またはＮＡＶ設定は、プライマリチャネルのステータスに依存し得る。例えば、１ＭＨｚ動作モードしかサポートしないＳＴＡがＡＰに送信しているせいで、プライマリチャネルがビジーである場合、利用可能な周波数バンドの全体は、それらのほとんどがアイドルであり、および／または利用可能であるとしても、ビジーと見なされ得る。
【００１６】
米国においては、８０２．１１ａｈによって使用され得る利用可能な周波数バンドは、９０２ＭＨｚから９２８ＭＨｚである。韓国においては、利用可能な周波数バンドは、９１７．５ＭＨｚから９２３．５ＭＨｚであり、日本においては、利用可能な周波数バンドは、９１６．５ＭＨｚから９２７．５ＭＨｚである。８０２．１１ａｈのために利用可能な全帯域幅は、国コードに応じて、６ＭＨｚから２６ＭＨｚである。
【００１７】
拡張分散チャネルアクセス（ＥＤＣＡ）は、優先的なＱｏＳをサポートするために８０２．１１において導入された基本ＤＣＦ（分散調整機能）の拡張である。ＥＤＣＡは、媒体のコンテンションベースのアクセスをサポートする。８０２．１１ｎにおけるＥＤＣＡの動作が、図１に示されている。ポイント調整機能（ＰＣＦ）は、時間的制約のあるサービスをサポートするために、ＡＰによるＢＳＳ内の１つもしくは複数または各々のＳＴＡへのポーリングを用いる、コンテンションフリーのチャネルアクセスを使用し得る。ＡＰは、ＰＣＦインターフェース間隔（「ＰＩＦＳ」）の間待った後、ポーリングメッセージを送信し、クライアントが、送信すべきものを有さない場合、それは、ヌルデータフレームを返し得る。それは、低デューティサイクルのトラフィックおよび／または重い／バースト性のトラフィックにとって、決定論的、公平、および／または効率的である。ハイブリッド調整機能（ＨＣＦ）制御チャネルアクセス（ＨＣＣＡ）は、競合期間（ＣＰ）および／または競合なし期間（ＣＦＰ）の間に、ＡＰがＳＴＡにポーリングを行い得る、ＰＣＦの強化版であり得る。それは、１つのポーリング下において、１つもしくは複数または多数のフレームを送信し得る。
【００１８】
高効率ＷＬＡＮ（ＨＥＷ）のための潜在的なアプリケーションは、スタジアムイベントについてのデータ配信など、新たに出現した使用シナリオ、鉄道駅および／もしくは企業／小売環境など、高ユーザ密度シナリオ、並びに／または医療用途のためのビデオ配信および／もしくは無線サービスに対する高い依存を伴うシナリオを含む。
【００１９】
現在の８０２．１１実施（８０２．１１ａ／ｇ／ｎ／ａｃ／ａｈ）における送信手順は、送信および／または受信のための割り当てられた帯域幅全体の使用を仮定し得る。ＯＦＤＭＡは、８０２．１１ａｃにおけるように、チャネル全体を単一のユーザに割り当てるリソーススケジューリングによって引き起こされる非効率に対処するために、ＬＴＥおよび／またはＷｉＭＡＸにおいて使用された方法である。ＯＦＤＭＡのＷｉＦｉへの直接的な適用は、後方互換性問題を導入し得る。調整された直交ブロックベースのリソース割り当て（ＣＯＢＲＡ）は、とりわけ、チャネルベースのリソーススケジューリングによって引き起こされ得る、とりわけ、ＷｉＦｉ後方互換性問題および／または暗黙の非効率性を解決するために、ＯＦＤＭＡ方法を導入した。例えば、ＣＯＢＲＡは、１つもしくは複数または多数のより小さい周波数−時間リソースユニット上における送信を可能にし得る。１つもしくは複数または多数のユーザは、オーバラップしない周波数−時間リソースユニットに割り当てられ得、並びに／または（例えば、同時に）送信および／もしくは受信することを可能にされ得る。サブチャネルは、ＡＰがＳＴＡに割り当て得る基本周波数リソースユニットとして定義され得る。例えば、８０２．１１ｎ／ａｃとの後方互換性の要件に留意しながら、サブチャネルは２０ＭＨｚチャネルとして定義され得る。これらのサブチャネルは、２０ＭＨｚ未満の帯域幅を有し得、および／またはそれらは、２０ＭＨｚの帯域幅に制限され得る。
【００２０】
ＣＯＢＲＡにおける技術は、送信および符号化方式のための基礎として、マルチキャリア変調、フィルタリング、時間、周波数、空間および／または極性領域を含み得る。ＣＯＢＲＡ方式は、以下のうちの１つまたは複数、すなわち、ＯＦＤＭＡサブチャネル化、ＳＣ−ＦＤＭＡサブチャネル化、および／またはフィルタバンクマルチキャリアサブチャネル化を使用して実施され得る。以下の特徴のうちの１つまたは複数、すなわち、カバレッジ範囲拡張のための方法、ユーザをグループ化する方法、オーバヘッドが低いチャネルアクセス、プリアンブル設計のための方法、ビームフォーミングおよび／もしくはサウンディングのための方法、周波数および／もしくはタイミング同期のための方法、並びに／またはリンク適応のための方法が、ＣＯＢＲＡ送信とともに使用され得る。
【００２１】
マルチユーザおよび／またはシングルユーザ複数並列チャネルアクセス（ＭＵ−ＰＣＡ）方式が説明される。ＣＯＢＲＡ、および／または対称帯域幅を用いる送信／受信を使用するマルチユーザ／シングルユーザ並列チャネルアクセスは、複数／単一ユーザのためのダウンリンク並列チャネルアクセス、複数／単一ユーザのためのアップリンク並列チャネルアクセス、複数／単一ユーザのための組み合わされたダウンリンクおよびアップリンク並列チャネルアクセス、ＳＵ−ＰＣＡおよび／もしくはＣＯＢＲＡのための等しくないＭＣＳおよび／もしくは等しくない送信電力をサポートするための設計、対称帯域幅を用いる送信／受信を使用するマルチユーザ／シングルユーザ並列チャネルアクセスをサポートするためのＰＨＹ設計および／もしくは手順、並びに／または混合されたＭＡＣ／ＰＨＹマルチユーザ並列チャネルアクセスのうちの１つまたは複数を含み得る。ＭＵ−ＰＣＡは、非対称帯域幅を用いる送信／受信を使用するマルチユーザ／シングルユーザ並列チャネルアクセスのためのダウンリンク、アップリンク、および／もしくは組み合わされたアップリンクおよびダウンリンクについてのＭＡＣ設計および／もしくは手順、並びに／または非対称帯域幅を用いる送信／受信を使用するマルチユーザ／シングルユーザ並列チャネルアクセスをサポートするためのＰＨＹ設計および／もしくは手順を含み得る、ＣＯＢＲＡ、および／または非対称帯域幅を用いるマルチユーザ／シングルユーザ並列チャネルアクセス送信／受信について説明する。
【００２２】
ＳＴＡが、チャネルおよび／またはトラフィック利用可能性に基づいて、それらの送信帯域幅を増減し得る、スケーラブルチャネル利用などの技法。
【００２３】
８０２．１１におけるＯＦＤＭＡの使用は、スケーラブルチャネル利用および／または改善された空間再使用などの技法を可能にし得る。技法は、８０２．１１規格に固有の（例えば、８０２．１１規格がどのように機能するかに固有の）問題のせいで、それらが８０２．１１において機能することを可能にするための適応を施されなければならないことがある。
【００２４】
空きチャネル判定（ＣＣＡ：Clear Channel Assessment）閾値が、チャネルが使用のために利用可能であるかどうかを決定するために、ＳＴＡによって使用され得る。ＳＴＡは、チャネルにおけるエネルギーを測定し得、および／またはチャネルにおけるエネルギーがＣＣＡ閾値を超えるかどうかに基づいて、それが送信のために利用可能であるかどうかを決定し得る。閾値は、固定され得、および／または動的であり得る。エネルギー検出空きチャネル手順が、図２に示されている。
【００２５】
スケーラブルチャネル利用、および／またはオーバラッピング基本サービスセット（ＯＢＳＳ）ＳＴＡのための高められた空間再使用を可能にする、チャネル利用可能性についての情報は、有益であり得る。スケーラブルチャネル利用は、ＳＴＡが、おそらくは、例えば、チャネルの品質（例えば、チャネルがビジーであるかどうか）に基づいて、送信帯域幅内の（サブ）チャネルを動的に選択／選択解除することを可能にし得る。スケーラブルチャネル利用は、ＯＦＤＭＡベースの８０２．１１システム（例えば、８０２．１１ａｘ）に対して可能な技法であり得る。スケーラブルチャネル利用を可能にするために、ＳＴＡ／ＡＰは、使用されているサブチャネルを識別し得、および／またはそれのチャネル帯域幅を適切に増減するために、その情報を利用し得る。
【００２６】
同じＢＳＳ内における送信について、ＳＴＡ／ＡＰ間のマルチユーザフレーム交換は、利用可能なサブチャネルの選択を可能にし得る。ＯＢＳＳ  ＳＴＡについては、スケーラブルチャネル利用を可能にし、および／または空間再使用を改善するための情報および／または技法は、有益であり得る。ＯＢＳＳ内における空間再使用ＯＦＤＭＡ送信を改善する技法は、有益であり得る。
【００２７】
ＳＴＡは、ＯＦＤＭＡ送信の最中にウェイクアップし得、および／またはチャネルがビジーか、それとも空いているかを不正確に決定し得る。ＳＴＡが、ＡＰと他のＳＴＡとの間の送信の最中にウェイクアップするシナリオにおいては、ＳＴＡは、送信前に空きチャネル判定（ＣＣＡ）を実行し得る。ＳＴＡは、（例えば、ＯＦＤＭＡ送信のケースにおける）ＯＦＤＭＡセットアップフレーム、および／または（例えば、非ＯＦＤＭＡ送信のケースにおける）ＲＴＳ／ＣＴＳセットアップフレームを聞かないことがあるので、それは、送信持続時間の間にＮＡＶを設定できないことがあり、および／またはエネルギー検出空きチャネル判定（ＣＣＡ）を実行し得る。
【００２８】
隠れノードシナリオにない非ＯＦＤＭＡ送信については、ＳＴＡは、送信媒体におけるエネルギーを測定し得、および／または媒体がビジーであるかどうかを評価し得る。ＯＦＤＭＡ送信については、非隠れノードシナリオのケースにおいてさえも、漏れ聞こえたサブチャネルにおけるエネルギーは、ＣＣＡ閾値よりも小さいことがあり、おそらくは、そのために、ＳＴＡは、チャネルが空であると仮定することがある。これは、ＯＦＤＭＡ送信が、非ＯＦＤＭＡ送信と同じ、送信中の電力スペクトル密度を保つ場合に生じ得る。これは、アップリンクＯＦＤＭＡ送信中における衝突の確率を高め得る。これは、ＵＬ−ＯＦＤＭＡにおけるＣＣＡを示す、図３に示されている。図３は、ボックス３０１が満たされた、閾値を超えるＳＴＡ５における非ＯＦＤＭＡ送信エネルギーと、エネルギーレベルがボックス３０２、３０３を満たすが、ボックス３０４、３０５は満たさない、ＣＣＡ閾値を超えないＳＴＡ５におけるＯＦＤＭＡ送信エネルギーとを示している。非ＯＦＤＭＡ送信は、他の非ＯＦＤＭＡ送信の中でも特に、ＯＢＳＳ送信とし得る。図３に示されるように、ＣＣＡ閾値は、非ＯＦＤＭＡ送信については、ＯＦＤＭＡ送信と比較してより高くし得る。あるシナリオにおいては、ＣＣＡ閾値は、ＯＢＳＳ空間再使用を、１つまたは複数のサブチャネルにおいては、より可能性の高いものにし（例えば、より容易に獲得可能にし）、および／または１つまたは複数の他のサブチャネルにおいては、より可能性の低いものにする（例えば、獲得するのをより困難にする）ために、例えば、ＡＰによって使用され得る。ＳＴＡがＯＦＤＭＡ送信の存在下において空きチャネル判定を実行できることを保証するための技法は、有益であり得る。
【００２９】
例えば、図３、図５、図８、図９、図１１Ａ、図１１Ｂ、図１５および／もしくは図２０、および／または、１つまたは複数の他の図、並びに説明全体において使用される場合、数字および／または他の方法で表されるＳＴＡのラベル、ＡＰのラベル、ＢＳのラベル、ＳＣのラベル、アドレスのラベル、フィールドのラベル、ＢＳＳのラベル、ＣＨ／チャネルのラベル、サブチャネル／サブバンドのラベル、および／またはリソースユニットのラベルなどは、説明および／または例の目的で使用される独立したラベルであり、限定的および／または累積的な何かを告げることは意図されていない。例えば、特定の図におけるＳＴＡ１、ＳＴＡ２、ＣＨ１、および／またはＢＳ１は、説明される特定の概念の説明および／または例の目的で、第１のステーション、第２のステーション、第１のチャネル、および／または第１の基地局であると理解され得る。
【００３０】
図４は、例示的な無線ローカルエリアネットワーク（ＷＬＡＮ）デバイスを示している。デバイスのうちの１つまたは複数は、本明細書にて説明される特徴のうちの１つまたは複数を実施するために使用され得る。ＷＬＡＮは、アクセスポイント（ＡＰ）１０２、ステーション（ＳＴＡ）１１０、および／またはＳＴＡ１１２を含み得るが、それらに限定されない。ＳＴＡ１１０、１１２は、ＡＰ１０２と関連付けられ得る。ＷＬＡＮは、とりわけ、ＤＳＳＳ、ＯＦＤＭ、ＯＦＤＭＡなどのチャネルアクセス方式を含み得るＩＥＥＥ８０２．１１通信規格の１つまたは複数のプロトコルを実施するように構成され得る。ＷＬＡＮは、例えば、インフラストラクチャモード、アドホックモードなどのモードで動作し得る。
【００３１】
インフラストラクチャモードで動作するＷＬＡＮは、１つまたは複数の関連付けられたＳＴＡと通信する１つまたは複数のＡＰを含み得る。ＡＰ、および／またはＡＰと関連付けられたＳＴＡは、基本サービスセット（ＢＳＳ）を構成し得る。例えば、ＡＰ１０２、ＳＴＡ１１０、および／またはＳＴＡ１１２は、ＢＳＳ１２２を構成し得る。拡張サービスセット（ＥＳＳ）は、（１つまたは複数のＢＳＳを伴う）１つまたは複数のＡＰ、および／またはＡＰと関連付けられたＳＴＡを含み得る。ＡＰは、有線および／または無線であり得、ＡＰへのトラフィックおよび／またはＡＰからのトラフィックを搬送し得る、ディストリビューションシステム（ＤＳ）１１６へのアクセス、および／またはそれとのインターフェースを有し得る。ＷＬＡＮの外部を出所とするＷＬＡＮ内のＳＴＡへのトラフィックは、ＷＬＡＮ内のＡＰにおいて受信され得、ＡＰは、ＷＬＡＮ内のＳＴＡにトラフィックを送信し得る。ＷＬＡＮ内のＳＴＡを出所とするＷＬＡＮの外部の送信先、例えば、サーバ１１８へのトラフィックは、ＷＬＡＮ内のＡＰに送信され得、ＡＰは、送信先にトラフィックを送信し得、例えば、サーバ１１８に送信されるように、ＤＳ１１６を介してネットワーク１１４に送信し得る。ＷＬＡＮ内のＳＴＡ間のトラフィックは、１つまたは複数のＡＰを通して送信され得る。例えば、送信元ＳＴＡ（例えば、ＳＴＡ１１０）は、送信先ＳＴＡ（例えば、ＳＴＡ１１２）に宛てたトラフィックを有し得る。ＳＴＡ１１０は、トラフィックをＡＰ１０２に送信し得、および／またはＡＰ１０２は、トラフィックをＳＴＡ１１２に送信し得る。
【００３２】
ＷＬＡＮは、アドホックモードで動作し得る。アドホックモードＷＬＡＮは、独立基本サービスセット（ＩＢＳＳ）と呼ばれることがある。アドホックモードＷＬＡＮにおいては、ＳＴＡは、互いに直接的に通信し得る（例えば、ＳＴＡ１１０は、ＡＰを通して回送されるような通信なしに、ＳＴＡ１１２と通信し得る）。
【００３３】
ＩＥＥＥ８０２．１１デバイス（例えば、ＢＳＳ内のＩＥＥＥ８０２．１１  ＡＰ）などのデバイスは、ＷＬＡＮネットワークの存在を公表するために、ビーコンフレームを使用し得る。ＡＰ１０２などのＡＰは、チャネル、例えば、プライマリチャネルなどの固定されたチャネル上において、ビーコンを送信し得る。ＳＴＡは、ＡＰとの接続を確立するために、プライマリチャネルなどのチャネルを使用し得る。
【００３４】
ＳＴＡおよび／またはＡＰは、キャリア感知多重アクセス／衝突回避（ＣＳＭＡ／ＣＡ）チャネルアクセスメカニズムを使用し得る。ＣＳＭＡ／ＣＡにおいては、ＳＴＡおよび／またはＡＰは、プライマリチャネルを感知し得る。例えば、ＳＴＡが、送信すべきデータを有する場合、ＳＴＡは、プライマリチャネルを感知し得る。プライマリチャネルがビジーであることが検出された場合、ＳＴＡはバックオフし得る。例えば、ＷＬＡＮおよび／またはそれの部分は、例えば、与えられたＢＳＳ内においては、与えられた時刻において、１つのＳＴＡが送信し得るように構成され得る。チャネルアクセスは、ＲＴＳおよび／またはＣＴＳシグナリングを含み得る。例えば、送信要求（ＲＴＳ）フレームの交換が送信デバイスによって送信され得、および／または送信可（ＣＴＳ）フレームの交換が受信デバイスによって送信され得る。例えば、ＡＰが、ＳＴＡに送信すべきデータを有する場合、ＡＰは、ＲＴＳフレームをＳＴＡに送信し得る。ＳＴＡが、データを受信する準備ができている場合、ＳＴＡは、ＣＴＳフレームを用いて応答し得る。ＣＴＳフレームは、ＲＴＳを開始したＡＰがそれのデータを送信し得る間、媒体アクセスを差し控えるように他のＳＴＡに警告し得る、時間値を含み得る。ＣＴＳフレームをＳＴＡから受信すると、ＡＰは、データをＳＴＡに送信し得る。
【００３５】
デバイスは、ネットワーク割り当てベクトル（ＮＡＶ）フィールドを介して、スペクトルを確保し得る。例えば、ＩＥＥＥ８０２．１１フレームにおいては、ＮＡＶフィールドは、時間期間の間、チャネルを確保するために使用され得る。データを送信したいＳＴＡは、それがチャネルを使用すると予期し得る時間にＮＡＶを設定し得る。ＳＴＡが、ＮＡＶを設定するとき、ＮＡＶは、関連するＷＬＡＮおよび／またはそれのサブセット（例えば、ＢＳＳ）用に設定され得る。他のＳＴＡは、ＮＡＶをゼロまでカウントダウンし得る。カウンタが、ゼロの値に達したとき、ＮＡＶ機能性は、チャネルが今は利用可能であることを、他のＳＴＡに示し得る。
【００３６】
ＡＰおよび／またはＳＴＡなど、ＷＬＡＮ内のデバイスは、以下のうちの１つまたは複数、すなわち、プロセッサ、メモリ、（例えば、送受信機内に組み合わされ得る）無線受信機および／または送信機、１つまたは複数のアンテナ（例えば、図４におけるアンテナ１０６）などを含み得る。プロセッサ機能は、１つまたは複数のプロセッサを含み得る。例えば、プロセッサは、汎用プロセッサ、専用プロセッサ（例えば、ベースバンドプロセッサ、ＭＡＣプロセッサなど）、デジタル信号プロセッサ（ＤＳＰ）、ＡＳＩＣ、ＦＰＧＡ回路、他の任意のタイプの集積回路（ＩＣ）、および／または状態機械などのうちの１つまたは複数を含み得る。１つまたは複数のプロセッサは、互いに統合されてよく、または統合されなくてよい。プロセッサ（例えば、１つまたは複数のプロセッサまたはそれのサブセット）は、１つまたは複数の他の機能（例えば、メモリなどの他の機能）と統合され得る。プロセッサは、信号符号化、データ処理、電力制御、入力／出力処理、変調、復調、および／またはデバイスが図４のＷＬＡＮなどの無線環境内において動作することを可能にし得る他の任意の機能性を実行し得る。プロセッサは、例えば、ソフトウェアおよび／またはファームウェア命令を含む、プロセッサ実行可能コード（例えば、命令）を実行するように構成され得る。例えば、プロセッサは、プロセッサ（例えば、メモリおよびプロセッサを含むチップセット）またはメモリのうちの１つまたは複数の上に含まれる、コンピュータ可読命令を実行するように構成され得る。命令の実行は、本明細書において説明される機能のうちの１つまたは複数をデバイスに実行させ得る。
【００３７】
デバイスは１つまたは複数のアンテナを含み得る。デバイスは多入力多出力（ＭＩＭＯ）技法を利用し得る。１つまたは複数のアンテナは無線信号を受信し得る。プロセッサは、例えば、１つまたは複数のアンテナを介して無線信号を受信し得る。１つまたは複数のアンテナは（例えば、プロセッサから送られた信号に基づいて）無線信号を送信し得る。
【００３８】
デバイスは、プロセッサ実行可能コードおよび／もしくは命令（例えば、ソフトウェア、ファームウェアなど）、電子データ、データベース、並びに／または他のデジタル情報など、プログラミングおよび／またはデータを記憶するための１つまたは複数のデバイスを含み得る、メモリを有し得る。メモリは１つまたは複数のメモリユニットを含み得る。１つまたは複数のメモリユニットは、１つまたは複数の他の機能（例えば、プロセッサなど、デバイス内に含まれる他の機能）と統合され得る。メモリは、ＲＯＭ（Read Only Memory）（例えば、ＥＰＲＯＭ（Erasable Programmable Read Only Memory）、ＥＥＰＲＯＭ（Electrically Erasable and Programmable ROM）など）、ＲＡＭ（Random Access Memory）、磁気ディスク記憶媒体、光記憶媒体、フラッシュメモリデバイス、および／または情報を記憶するための他の非一時的コンピュータ可読媒体を含み得る。メモリは、プロセッサに結合され得る。プロセッサは、メモリの１つまたは複数のエンティティと、例えば、システムバスを介する通信、直接的な通信などを行い得る。
【００３９】
いくつかのチャネル測定、並びに／または対応する要求および／もしくは応答メカニズムが、定義され得る。ＯＦＤＭＡ送信を用いると、システム性能は、サブチャネル動作についてのより多くの情報を獲得することによって、最適化され得る。サブチャネル測定、並びに／または対応する要求／応答メカニズムおよび／もしくは手順は、定義されないことがある。図５においては、ＵＬ−ＯＦＤＭＡ送信は、ＳＴＡ１およびＳＴＡ２からＡＰに向かって生じる。先のＣＣＡ手順を使用すると、非ＯＢＳＳ  ＳＴＡ５は、チャネルが利用可能でないと推定し得る。ＳＴＡ４、ＳＴＡ５およびＳＴＡ６については、先のＣＣＡは、送信帯域幅全体にわたって平均されたそれらの測定エネルギーに基づいて、失敗することがある。非ＯＢＳＳ  ＳＴＡ３およびＳＴＡ４については、帯域幅全体にわたる平均は、ＣＣＡ閾値よりも小さいエネルギーレベルをもたらし得、および／またはＯＦＤＭＡセッション中に衝突を生じさせ得る。ＯＢＳＳ  ＳＴＡ６については、サブチャネルにおけるエネルギーに応じて、帯域幅全体にわたる平均は、ＣＣＡ閾値よりも大きいエネルギーレベルをもたらし得、および／または空間再使用送信の防止をもたらし得る。ＯＦＤＭＡシナリオにおいて適切な空きチャネル判定を可能にするための技法は、これらの問題を防止するのに役立ち得る。
【００４０】
本明細書にて説明される方法、システムおよび／またはデバイスは、ＯＢＳＳ内における改善された空間再使用、および／またはＢＳＳ内ＯＦＤＭＡ送信における隠れノード削減のために、明示的なシグナリング情報を使用し得る。これは、スケーラブルチャネル利用を可能にするためのチャネル利用可能性、および／またはＯＢＳＳ  ＳＴＡのための高められた空間再使用、および／または部分的隠れノードについての情報の必要性に対処し得る。システム、デバイスおよび／または方法については、異なるＳＴＡによって使用されるサブチャネルについての情報が、明示的に伝達され得る。これは、ＯＢＳＳ  ＳＴＡが、それらが、例えば、同時に使用し得るサブチャネルを識別することを可能にし得る。ＯＦＤＭＡ送信は、プライマリＢＳＳ内において生じ得、並びに／またはＯＢＳＳ送信が生じる近隣および／もしくはオーバラップＢＳＳが、存在し得る。
【００４１】
ＡＰは、どのバンドが空間再使用モードにおいて使用し得るかを決定し得る。ＡＰ／ＳＴＡ受信は、干渉に対してロバストであり得る。ＡＰは、ＡＰに割り当てられたサブチャネルが、空間再使用のためにＯＢＳＳ  ＳＴＡによって使用され得ることを示す、制御情報を送出し得る。そのような「干渉に対してロバストな」ＳＴＡの例は、以下のうちの１つまたは複数、すなわち、いずれの可能なＯＢＳＳ送信からも遠く離れて（例えば、ＢＳＳのエッジ近くとは対照的に、ＢＳＳの中央近くに）配置されたＳＴＡ、および／またはＢＳＳからの干渉を打ち消すための能力を有するＳＴＡ（例えば、高度な干渉抑制受信機を使用するＳＴＡ）を含み得る。ＡＰは、例えば、サブチャネル／サブバンドについての固有情報など、それぞれのサブチャネル／サブバンドに関する空間再使用についての情報を送信し得る。空間再使用についての情報は、特定のサブバンドの、空間再使用についての、例えば、ＯＢＳＳ空間再使用についての潜在能力に対応し得る。それぞれのサブチャネル／サブバンドについてのＯＢＳＳ空間再使用に関する情報は、それぞれのサブチャネル／サブバンドの１つもしくは複数または各々について同様であり得、および／または異なり得る。例えば、ＡＰは、１つまたは複数のサブチャネル／サブバンドについての、ＯＢＳＳ空間再使用のために許容可能であり得る干渉の同様および／または異なるレベル／閾値を示し得る。あるシナリオにおいては、干渉閾値／レベルは、ＯＢＳＳ空間再使用を、１つまたは複数のサブチャネルにおいては、より可能性の高いものにし（例えば、より容易に獲得可能にし）、および／または１つまたは複数の他のサブチャネルにおいては、より可能性の低いものにする（例えば、獲得するのをより困難にする）ために、例えば、ＡＰによって使用され得る。例えば、許容可能な干渉閾値／レベルは、１つまたは複数のサブチャネルにおけるＯＢＳＳ空間再使用については、より低くし得る（例えば、より小さい干渉が、許容可能であり得る）。例えば、許容可能な干渉閾値／レベルは、１つまたは複数の他のサブチャネルにおけるＯＢＳＳ空間再使用については、より高くし得る（例えば、より高い干渉が、許容可能であり得る）。
【００４２】
干渉に対するロバスト性は、チャネル状態、および／または他のＳＴＡからの変化する干渉のせいで変化し得る。ロバスト性は、変化が平均され、および／もしくは長期挙動が追跡される、「長期」として推定され得、またはロバスト性を（例えば、瞬間的になど）評価する、「短期」として推定され得る。知識は、とりわけ、再送の回数、ＳＴＡへの送信中の推定される衝突の回数、および／またはオーバラッピングＢＳＳに関するＳＴＡの地理的位置付け（例えば、ＢＳＳのエッジのＳＴＡ対ＢＳＳの中央のＳＴＡ）などの情報から、ＡＰによって収集され得る。情報は、１つもしくは複数または各々のＳＴＡによって、明示的にＡＰに供給され得る。これらの実施は、ユニキャスト送信のために使用され得、並びに／またはブロードキャストおよび／もしくはマルチキャスト送信のためには使用されないことがある。
【００４３】
ダウンリンク送信においては、干渉に対してロバストなＳＴＡは、それらがＯＢＳＳ  ＳＴＡによる空間再使用送信に対してロバストであり得ることを示す情報を、ＯＢＳＳに送出し得る（および／または別のノードによって送出してあり得る）。
【００４４】
アップリンク送信においては、干渉に対してロバストであり、および／または他のＯＢＳＳに低い干渉を提供するＳＴＡも、それらがＯＢＳＳ  ＳＴＡによる空間再使用送信に対してロバストであり得ることを示す情報を、ＯＢＳＳに送出し得（および／または別のノードによって送出してあり得）、それによって、空間再使用送信を容易にする。いずれの可能なＯＢＳＳ送信からも遠く離れて（例えば、ＢＳＳのエッジ近くとは対照的に、ＢＳＳの中央近くに）配置されたＳＴＡは、他のＯＢＳＳ送信に僅かの干渉しか提供し得ない。これは、ＳＴＡが送信電力制御を実行するシナリオにおいて役立ち得る。低いＭＣＳを用いて送信するＳＴＡは、ＯＢＳＳ干渉に対してロバストな受信を有し得る。
【００４５】
近隣ＢＳＳに伝達される情報は、以下のうちの１つまたは複数、すなわち、ＯＢＳＳ  ＳＴＡによって使用され得る特定のサブチャネルを示す情報、および／または１つもしくは複数もしくは各々のサブチャネルに割り当てられたＳＴＡについての追加情報を含み得る。ＯＢＳＳ  ＳＴＡによって使用され得る特定のサブチャネルを示す情報は、以下のうちの１つまたは複数を含み得る。情報は、１つもしくは複数または各々のビットが、サブチャネルが干渉に対してロバストなＳＴＡ／ＡＰによって使用されているかどうかを示す、ビットマップの形態を取り得る。情報は、１つもしくは複数または各々のビットが、サブチャネルがこのＯＦＤＭＡ送信中にスケジュールされていない（例えば、空のサブチャネル）かどうかを示す、ビットマップの形態を取り得る。情報は、サブチャネル利用可能性確率へのマッピングであり得る。ＳＴＡによって現在使用されているサブチャネルの利用可能性は、それらのサブチャネル上における受信ロバスト性についてのＳＴＡの評価に基づくことができる。ＳＴＡは、１つもしくは複数または各々のサブチャネルにわたって、および／またはＳＴＡが使用しているサブチャネルに限らずに、測定を実行し得る。ＳＴＡは、それが使用した最後のサブチャネルについて、例えば、そのサブチャネル上におけるそれの最後の送信を介して、ＯＢＳＳノードに（例えば、ＯＢＳＳノードだけに）報告し得、並びに／または最後の送信は、データフレームおよび／もしくは肯定応答フレームであり得る。
【００４６】
例えば、２．５ＭＨｚのサブチャネル幅、および／または２０ＭＨｚの送信帯域幅を仮定すると、ＯＢＳＳ  ＳＴＡがそのサブチャネル上において送信し得ることを示すために、８ビットのビットマップが使用され得る。別の例においては、リソース割り当ては、固定された数のリソースユニットに基づき得る。以下は、２０ＭＨｚの送信帯域幅におけるニューメロロジであり、２６トーンのリソースユニットは、２つのパイロットを備え、５２トーンのＲＵは、４つのパイロットを備え、１０２データトーンのＲＵは、４つから６つのパイロットが加わり、２４２トーンのＲＵは、８つのパイロットを備える。このケースにおいては、１１ビットのビットマップは、使用されるＲＵニューメロロジ、および／またはＯＢＳＳ  ＳＴＡによって送信され得るＲＵを示すために使用され得る。最初の２ビットは、使用されるＲＵグループ（１、２、３、および／または４）を示し得、一方、次の９ビットは、ＲＵの１つもしくは複数または各々のステータスを示すために使用され得る。例えば、１、０、１、０は、リソースグループが３であり、第１のＲＵが利用可能であり、および／または第２のＲＵが利用可能ではないことを示し得る。ＯＢＳＳ  ＳＴＡは、１つもしくは複数または多数の近隣ＢＳＳからの情報を使用し得る。ＯＢＳＳ  ＳＴＡは、与えられたリソースにおいて送信すべきかどうかを決定し得る。
【００４７】
１つもしくは複数または各々のサブチャネルに割り当てられた特定のＳＴＡについての追加情報は、以下のうちの１つまたは複数を含み得る。チャネルが利用可能として示された場合、そのチャネルを利用しているＳＴＡの部分ＡＩＤも送信され、および／または情報を伝達するために使用される送信電力は、送信ＳＴＡのＯＢＳＳ  ＳＴＡに対する近接性を決定するために、ＯＢＳＳ  ＳＴＡによって使用され得る。
【００４８】
ＯＢＳＳ  ＳＴＡによって使用され得る特定のサブチャネルに関する情報を用いて、ＯＢＳＳ  ＳＴＡは、空間再使用を改善することができ得る。ＯＢＳＳ  ＳＴＡは、「空き」および／または利用可能として示されたサブチャネルを使用し得る。いずれかのＯＢＳＳ  ＳＴＡ、および／または１つもしくは複数もしくは各々のサブチャネルに割り当てられた特定のＳＴＡによって使用され得る特定のサブチャネルに関する情報を用いて、ＯＢＳＳ  ＳＴＡは、空間再使用を決定するために、ＳＴＡの識別および／または利用可能なサブチャネルの両方をさらに使用して、空間再使用を改善することができ得る。例えば、ＢＳＳは、サブチャネルが空きであると識別し得る。ＯＢＳＳ  ＳＴＡは、特定のＳＴＡからの送信を漏れ聞くことができ得る。ＯＢＳＳ  ＳＴＡは、その特定のＯＢＳＳ  ＳＴＡについて、そのサブチャネルが空きではないと識別することができ得る。このパラグラフにおいて説明される情報（例えば、以下のうちの１つまたは複数）は、マルチユーザ送信のためのスケジュールフレームの間に、ＡＰによって送信され得る。ＢＳＳ内においてスケジュールされたＳＴＡは、例えば、ＯＢＳＳ  ＳＴＡがこの情報を漏れ聞き得ることを保証するために、情報を再送し得る。この再送は、ＡＰへの応答フレーム上にピギーバックされ得る。再送される情報は、以下のうちの１つまたは複数、すなわち、特定のＳＴＡ（例えば、特定のＳＴＡだけ）に関連する情報、例えば、それが割り当てられた特定のサブチャネル／サブバンド、および／もしくはサブチャネル／サブバンドが空間再使用のために利用可能であるかどうか、マルチユーザ送信においてスケジュールされたＳＴＡについての情報（例えば、どのサブチャネルが再使用のために利用可能かを示す１１ビットのビットマップの再送、および／もしくは１つもしくは複数もしくは各々のサブチャネルに割り当てられた特定のＳＴＡについての情報）、並びに／またはマルチユーザ送信においてスケジュールされたＳＴＡのサブセットについての情報（例えば、再送ＳＴＡから特定の経路損失距離内にあるスケジュールされたＳＴＡ）であり得る。
【００４９】
本明細書において説明される１つまたは複数の技法においては、サブチャネルおよびサブバンドという用語は、交換可能に使用され得る。
【００５０】
本明細書において説明されるように、チャネルおよび／またはバンドは、１つまたは複数のリソースユニットを含み得る。例えば、２６トーンＲＵを用いる２０ＭＨｚのチャネルにおいては、１つまたは複数の技法は、２６トーンの粒度で実施され得る。例えば、８０ＭＨｚのチャネルにおいては、１つまたは複数の技法は、２４２トーンの粒度（または２０ＭＨｚの粒度）で実施され得る。
【００５１】
１つまたは複数の技法は、２０ＭＨｚのチャネル上において、おそらくは、そのようなチャネル上だけにおいて実施され得る。１つまたは複数の技法は、２０ＭＨｚ未満の粒度を用いて実施され得る。
【００５２】
１つまたは複数の技法においては、ＵＬ−ＯＦＤＭＡ−ＳＴＡは、ＡＰが送信および／またはプライマリＢＳＳ内において送信しているＳＴＡであり得る。１つまたは複数の技法においては、ＵＬ−ＯＦＤＭＡ  ＳＴＡは、ＵＬプライマリＢＳＳ  ＳＴＡと呼ばれることがある。
【００５３】
１つまたは複数の技法においては、ＯＢＳＳ  ＳＴＡは、おそらくは、例えば、ＯＢＳＳ  ＳＴＡが、ＡＰから、および／またはＵＬ−ＯＦＤＭＡ  ＳＴＡからの中継ＳＲ送信（例えば、ＡＰから受信されたＳＲ情報のＵＬ−ＯＦＤＭＡ  ＳＴＡからの再送）から、何を聞き得るか（例えば、漏れ聞き得るか）に基づいて、空間再使用方式で送信し得、または送信しないことがある、オーバラッピングＢＳＳ（ＯＢＳＳ）内におけるＳＴＡであり得る。
【００５４】
本明細書にて説明される情報のシグナリングは、ＯＦＤＭＡ空間再使用情報を有するＭＡＣヘッダを示す、図６に示されるような専用ＭＡＣフレームにより得る。図６において、ＭＡＣヘッダ内のＯＦＤＭＡ空間再使用６０６は、ビットマップフィールド６０２を含み、および／または再使用サブチャネルフィールド６０４内にＳＴＡの部分ａｉｄを含むように、拡大されている。情報は、ＯＦＤＭＡ空間再使用情報を有するＰＨＹプリアンブルを示す、図７に示されるようなＰＨＹプリアンブル（ＳＩＧ−Ａ／ＳＩＧ−Ｂ）内において伝達され得る。図７は、８０２．１１ａｘを使用する例において、ＨＥ−ＳＩＧＡ１、ＨＥ−ＳＩＧＡ２、および／もしくはＨＥ−ＳＩＧＡ３を含むＳＩＧ−Ａフィールド７０２、並びに／またはＳＩＧ−Ｂフィールド７０４を示している。情報は、フィールドのいずれかに配置され得る。本発明は、８０２．１１ａｘに限定されず、並びに／または任意の適切なフォーマットおよび／もしくは規格が、使用されることができる。ＭＡＣフレームは、あまりにも多くの処理を使用することがあり、および／または送信機によって使用されている同じ帯域幅上においてデコードされ得る。ＰＨＹプリアンブルは、より高速であり得、および／または帯域幅全体上においてデコード可能であり得る。
【００５５】
ＵＬ  ＯＦＤＭＡ送信における明示的なサブチャネルシグナリング情報の使用が、本明細書にて説明される。ＡＰは、ＳＴＡの１つもしくは複数または各々に、それらが送信すべき情報を有するかどうかを見出すために、ポーリングを行い得ており、および／またはＳＴＡが送信を開始し得ることを示すＵＬ  ＯＦＤＭＡスケジュール／トリガフレーム（例えば、トリガベースのＵＬなど）を送出しようとしている。ＡＰは、ＵＬ  ＯＦＤＭＡスケジュール／トリガフレームを、ＵＬ  ＯＦＤＭＡ  ＳＴＡに送信し得る。スケジュールされたフレームは、以下のうちの１つまたは複数、すなわち、スケジュールされたＳＴＡ、それらの割り当てられたサブチャネル、および／または近隣ＢＳＳ内のＯＢＳＳ  ＳＴＡによる空間共用のために利用可能なサブチャネルを示すビットマップについての情報を含み得る。ＯＢＳＳ  ＳＴＡは、この情報をデコードし得、および／または利用可能なサブチャネルに基づいて、そのようにし得、および／またはこれらのサブチャネル（例えば、これらのサブチャネルだけ）において情報を送信し得る。
【００５６】
ＵＬ  ＯＦＤＭＡ  ＳＴＡは、データをＡＰに送信し得る。１つもしくは複数または各々の送信されたフレームは、以下のうちの１つまたは複数、すなわち、近隣ＢＳＳ内のＯＢＳＳ  ＳＴＡによる空間共用のために利用可能なサブチャネルを示すマップ（例えば、他のサブチャネルについての情報の代わりに、ＳＴＡは、それのサブチャネル、例えば、それのサブチャネルだけについての情報を再送し得る）、ＵＬ  ＯＦＤＭＡ送信においてデータを送信しようとしているＳＴＡについての情報（例えば、異なるサブチャネル上において送信しようとしているＳＴＡの部分ＡＩＤ）、送信電力情報、ＯＦＤＭＡ送信全体のＴｘＯＰ持続時間についての情報、特定のＳＴＡのデータ送信持続時間についての情報、および／または送信されるデータを含み得る。利用可能なサブチャネルを示すマップ、および／または送信されるデータは、ＰＨＹヘッダ、および／または早くにデコードされ得る別個の集約されたＭＡＣサブフレーム内に配置され得る。
【００５７】
例えば、第１のＢＳＳ内のＵＬ  ＯＦＤＭＡ  ＳＴＡは、第１のＢＳＳ内のアクセスポイント（ＡＰ）デバイスから固有情報を受信し得る。固有情報は、１つまたは複数のサブバンドの、第２のＢＳＳ内の１つまたは複数のＳＴＡによるアップリンク（ＵＬ）通信のためのＯＢＳＳ空間再使用（ＯＢＳＳ  ＳＲ）についての潜在能力に関し得る。固有情報は、１つまたは複数のサブバンドの各々の、ＵＬ通信のためのＯＢＳＳ  ＳＲについての潜在能力に関連する１つまたは複数の閾値を含み得る。ＵＬ  ＯＦＤＭＡ  ＳＴＡは、固有情報のうちの少なくとも一部を含み得る送信を、ＡＰ、および／または第１のＢＳＳ内の１つまたは複数の他のステーション（ＳＴＡ）に送信し得る。送信は、（例えば、送信が特にそれに向けられていなかった）第２のＢＳＳ内の１つまたは複数のＳＴＡのうちの少なくとも１つのＳＴＡによって検出可能であり得る。例えば、ＵＬ  ＯＦＤＭＡは、固有情報のうちの少なくとも一部の中継として機能し得る。
【００５８】
近隣ＢＳＳ内のＯＢＳＳ  ＳＴＡは、ＡＰによる元の送信、および／またはサブチャネル使用についてのＳＴＡによる再送のどちらかを漏れ聞き得る。ＯＢＳＳ  ＳＴＡは、マップ内において利用可能なサブチャネルとして識別されたサブチャネル（例えば、ＳＴＡへの送信／からの受信を行っていることがある、近隣ＯＢＳＳ干渉に対してロバストなサブチャネル）上において、データを送信し得る。ＯＢＳＳ  ＳＴＡは、それが送信する場合に影響され得ないサブチャネルを識別するために、それの近辺のＳＴＡについての知識、および／または１つもしくは複数もしくは各々のサブチャネルに割り当てられた特定のＳＴＡについての情報を使用し得る。ＯＢＳＳ  ＳＴＡは、利用可能なサブチャネルにおいてＣＳＭＡ／ＣＡアクセスを開始し得る。サブチャネルサイズが２０ＭＨｚ未満であるシナリオにおいては、ＯＢＳＳ  ＳＴＡは、それの送信をそのサブチャネルに制限し得る。ＯＢＳＳ  ＳＴＡは、送信される１つもしくは複数または全てのＯＦＤＭＡシンボルにわたって同じ電力を維持するために、サブチャネル送信のケースにおいては、それの送信電力を増加させることがある。このケースにおいては、利用可能なサブチャネルの識別は、これを考慮しなければならないことがある。送信される近隣ＢＳＳ情報は、任意の近隣セル送信のための電力の許容可能な増加を示す電力マージン、および／または近隣ＳＴＡがそれの許容可能な送信電力を推定するために使用し得る所望の受信電力を含み得る。他のノードは、空きチャネル判定を実行するときに、チャネルにおけるエネルギーのこの変化を計算に入れ得る。プライマリＢＳＳ内において送信データの受信に成功すると、１つもしくは複数または各々のＳＴＡは、ＡＣＫをＡＰに送信し得る。ＡＣＫは、一斉に送信され得る。
【００５９】
図８から図１０は、ＯＢＳＳネイバを含み、および／またはアップリンクＯＦＤＭＡ送信を用いる例示的なネットワークを示しており、（ａ）１つもしくは複数もしくは全てのサブチャネルについての再使用情報が、１つもしくは複数もしくは各々のＳＴＡによって、近隣ＢＳＳに再送されること、および／または（ｂ）特定のサブチャネルについての再使用情報が、１つもしくは複数もしくは各々のＳＴＡによって、近隣ＢＳＳに再送されることを含むシナリオにおける、送信を示している。図８は、ＵＬ  ＯＦＤＭＡ送信における改善された空間再使用のための明示的なシグナリング手順の例、１つもしくは複数または各々のＳＴＡによって再送される１つもしくは複数または全てのサブチャネルについての再使用情報を示している。図８に示されるように、ＢＳ１は、ＳＴＡ１、ＳＴＡ２、ＳＴＡ３、および／またはＳＴＡ４を含む。図において、円８０２は、ＢＳ１の論理的境界を示す。円８０４、８０６、８０７、８０８は、１つもしくは複数または各々のＳＴＡのエリアの周りの、それの送信電力に基づいて、そのＳＴＡからの送信によって影響されるエリアを示す。図８においては、円８０４、８０６、８０７、８０８は、ＢＳ１  ＡＰにおいてオーバラップすることが見て取れる。やはり示されるように、ＢＳ２は、ＢＳ２  ＳＴＡ１、および／またはＢＳ２  ＡＰを含む。図８においては、円８１０は、ＢＳ２  ＳＴＡ１についてのＣＣＡ閾値の範囲を示す。円８１０は、ＢＳ１  ＳＴＡ１、ＢＳ１  ＳＴＡ３、および／またはＢＳ１  ＳＴＡ４と交わるので、ＯＢＳＳ  ＳＴＡは、送信を妨げられ得る。明示的なシグナリングは、ＢＳ２  ＳＴＡ１が、特定のサブチャネル上において送信することを可能にするために使用され得る。図９は、１つもしくは複数または各々のＳＴＡによって再送される１つもしくは複数または全てのサブチャネルについての再使用情報を示す、ＵＬ  ＯＦＤＭＡ送信における変更された空間再使用のための明示的なシグナリング手順の例である。図１０は、１つもしくは複数または各々のＳＴＡによって再送される特定のサブチャネルについての再使用情報を示す、ＵＬ  ＯＦＤＭＡ送信における変更された空間再使用のための明示的なシグナリング手順の例である。情報は、ＯＦＤＭＡ  ＴｘＯＰにおけるＯＦＤＭＡ送信の１つまたは複数のフレームまたは全てのフレーム上において送信され得る。送信される情報は、部分的隠れノードが、ＳＴＡをＵＬ−ＯＦＤＭＡ送信に割り当てるスケジュール／トリガフレームを聞き漏らし得るシナリオにおいても使用され得る。１つもしくは複数または各々のＳＴＡは、ＵＬ−ＯＦＤＭＡ送信の発生、および／または全送信帯域幅を示す情報を、それのプリアンブル／ＭＡＣヘッダ内において送信し得る。部分的隠れノードは、この情報をデコードし得、おそらくは、例えば、それに基づいて、衝突を防止し得る。
【００６０】
図９および図１０においては、明示的なシグナリングは、（ＯＦＤＭＡ  ＴｘＯＰにおける送信フレームのうちの１つもしくは複数または全ての上の）プリアンブル９０２、９０４、１００２、１００４によって示される。フレーム９０６、９０８、１００６、１００８は、ＯＦＤＭＡ送信をスケジュールし、および／または成功した送信について肯定応答を返すために、ＡＰによって送信されるＯＦＤＭＡ制御フレームである。ＡＰは、例えば、ＯＢＳＳ空間再使用に関するサブチャネル／サブバンドベースの固有情報など、それぞれのサブチャネル／サブバンドについての空間再使用に関する情報を送信し得る。それぞれのサブチャネル／サブバンドについてのＯＢＳＳ空間再使用に関する情報は、それぞれのサブチャネル／サブバンドの１つもしくは複数または各々について同様であり得、および／または異なり得る。空間再使用に関する情報は、特定のサブバンドの、空間再使用、例えば、ＯＢＳＳ空間再使用についての潜在能力に対応し得る。フレーム９１０、１０１０は、プライマリＢＳＳ内において、ＳＴＡによってＡＰに送信されるＯＦＤＭＡフレームであり、一方、フレーム９１２、１０１２は、近隣ＢＳＳのプリアンブル内において送信される空間再使用情報に基づいて、ＯＢＳＳ  ＳＴＡによって送信されるデータである。
【００６１】
ＯＦＤＭＡベースの空きチャネル判定（ＣＣＡ）が、本明細書にて説明される。静的および動的ＯＦＤＭＡベースのＣＣＡ閾値設定が、本明細書にて説明される。例は、以下のシナリオのうちの１つまたは複数を含み得る。ＡＰおよび／またはＳＴＡは、（ａ）ＯＦＤＭＡ送信、および／または（ｂ）サブチャネルＣＣＡ推定を実行するそれらの能力を伝達し得る。ノードは、それらの信号送信帯域幅、および／または対応するＣＣＡ閾値に合意し得る。信号帯域幅の値は、２０ＭＨｚ、４０ＭＨｚ、．．．、１６０ＭＨｚ、および／または８０＋８０ＭＨｚとし得る。これは、使用される８０２．１１技術のニューメロロジに基づき得る。ＣＣＡ閾値の値は、固定された値および／または動的な値に基づいて、設定され得る。ＡＰは、例えば、サブチャネル／サブバンドベースの固有情報など、それぞれのサブチャネル／サブバンドについての空間再使用に関する情報を送信し得る。空間再使用に関する情報は、特定のサブバンドの、空間再使用、例えば、ＯＢＳＳ空間再使用についての潜在能力に対応し得る。それぞれのサブチャネル／サブバンドについてのＯＢＳＳ空間再使用に関する情報は、それぞれのサブチャネル／サブバンドの１つもしくは複数または各々について同様であり得、および／または異なり得る。例えば、ＡＰは、１つまたは複数のサブチャネル／サブバンドについての空きチャネル判定および／またはＯＢＳＳ空間再使用に対して許容可能であり得る、同様な、および／または異なるＣＣＡ閾値／レベルを示し得る。
【００６２】
固定されたＣＣＡ値：２０ＭＨｚに等しい動作チャネル幅を用いるＨＥ  ＳＴＡについては、ＣＣＡ＿ＳＴＡ（ｄＢｍ）によって与えられる最小変調および／または符号化レート感度以上の受信レベルにおける、有効な２０ＭＨｚ  ＨＥ信号の開始は、４μｓ以内に確率＞９０％で、ＰＨＹにＰＨＹ−ＣＣＡ．ｉｎｄｉｃａｔｅ（ビジー）を設定させ得る。受信機は、２０ＭＨｚチャネルにおいて、信号エネルギーｄｅｔｅｃｔ＿ｍａｒｇｉｎ（ｄＢ）、並びに／または最小変調および／もしくは符号化レート感度よりも上（例えば、ＣＣＡ＿ＳＴＡ＋Ｅｎｅｒｇｙ＿ｄｅｔｅｃｔ＿ｍａｒｇｉｎ（ｄＢｍ））について、ＣＣＡ信号をビジーに保ち得る（例えば、非特許文献１を参照）。ＨＥフォーマットＰＰＤＵの受信をサポートしない受信機は、（ＣＣＡ＿ＳＴＡ＋ｎｏｎ−ＨＥ＿ｍａｒｇｉｎ）（ｄＢｍ）以上の受信レベルにおいては、２０ＭＨｚチャネルにおけるいずれの有効なＨＥ信号についても、ＣＣＡ信号をビジーに保ち得る（ＰＨＹ＿ＣＣＡ．ｉｎｄｉｃａｔｅ（ビジー））。
【００６３】
動的ＣＣＡ値：２０ＭＨｚに等しい動作チャネル幅を用いるＨＥ  ＳＴＡについては、ＣＣＡ＿ＳＴＡ（ｄＢｍ）＝ＣＣＡ＿ｎｏｍｉｎａｌ−ＳＴＡ＿ｓｐｅｃｉｆｉｃ＿ｍａｒｇｉｎ（ｄＢｍ）によって与えられるＳＴＡ固有のマージン以上の受信レベルにおける、有効な２０ＭＨｚ  ＨＥ信号の開始は、４μｓ以内に確率＞９０％で、ＰＨＹにＰＨＹ−ＣＣＡ．ｉｎｄｉｃａｔｅ（ビジー）を設定させ得る。受信機は、ｘ  ｄＢであり得、並びに／または最小変調および／もしくは符号化レート感度よりも上であり得る、いずれの信号についても、ＣＣＡ信号をビジーに保ち得、ここで、ｘはＳＴＡ固有の値である。ＨＥフォーマットＰＰＤＵの受信をサポートしない受信機は、（ＣＣＡ＿ｎｏｍｉｎａｌ＋ｎｏｎ−ＨＥ＿ｍａｒｇｉｎ−ＳＴＡ＿ｓｐｅｃｉｆｉｃ＿ｍａｒｇｉｎ（ｄＢｍ））（ｄＢｍ）以上の受信レベルにおいては、２０ＭＨｚチャネルにおけるいずれの有効なＨＥ信号についても、ＣＣＡ信号をビジーに保ち得る（ＰＨＹ＿ＣＣＡ．ｉｎｄｉｃａｔｅ（ビジー））。ＳＴＡ固有のマージンは、経路損失および／または送信電力に基づいて、設定され得る。ＳＴＡ固有のマージンは、ＢＳＳ中央近くのＳＴＡが、より高いＣＣＡマージンを有し得ることを保証するように設定され得る（例えば、それらは近隣ＢＳＳ送信に影響するより低い確率を有するので、それらは、空きチャネルを決定する際に、より強気であり得る）。閾値は、それらが静的であっても、および／または動的であっても、サブチャネル毎ベースで（例えば、ＡＰによって）決定され得る。閾値は、１つまたは複数のサブチャネルについて同じであり得、または異なり得る。
【００６４】
ノードは、それらの信号サブチャネルサイズ、および／またはＣＣＡ＿ｓｕｂ＿ｌｅｖｅｌ＿ｔｈｒｅｓｈｏｌｄに合意し得る。サブチャネル帯域幅についての値は、事前決定（例えば、規格によって事前決定）され得、および／または動的に設定され得る。これは、２０ＭＨｚ、５ＭＨｚおよび／または２．５ＭＨｚサブチャネルとし得る。サブチャネルおよび／またはリソースユニット帯域幅は、合意されたニューメロロジに基づいて、固定され得る。一例においては、２０ＭＨｚの送信帯域幅における以下のニューメロロジが使用され得、すなわち、２６トーンのリソースユニット（ＲＵ９）は、２つのパイロットを備え、５２トーンのＲＵ４は、４つのパイロットを備え、１０２データトーンのＲＵ２は、４つから６つのパイロットが加わり、および／または２４２トーンのＲＵ１は、８つのパイロットを備える。サブチャネルＣＣＡレベルは、ＳＴＡ毎に固定され得、および／もしくは動的に設定され得、並びに／または選択されたサブチャネルサイズ、（１．ｂにおけるように）送信帯域幅に対して設定されたＣＣＡ閾値、および／もしくは電力送信モードの関数とし得る。ＯＦＤＭＡサブチャネルペナルティであるＯＦＤＭＡ＿ｓｕｂ＿ｐｅｎａｌｔｙが、設定され得、それは、ＯＦＤＭＡサブチャネルサイズに依存し得る。ペナルティは、１０×ｌｏｇ10（２０ＭＨｚにおけるサブチャネルの数）ｄＢとして計算され得る。これは、表１に示されている。
【００６５】
【表１】
0006697003.tif 000002
【００６６】
ＯＦＤＭＡサブチャネルペナルティであるＯＦＤＭＡ＿ｓｕｂ＿ｐｅｎａｌｔｙが設定され得、および／または表２に示されるように、ＯＦＤＭＡ  ＲＵサイズに依存し得る。
【００６７】
【表２】
0006697003.tif 000003
【００６８】
ＴＰ＿ｍｏｄｅ＿ｍａｒｇｉｎが、追加され得る。電力送信モードは、全送信電力が割り当てられたリソースユニットにおいて使用され得る（ＴＰ＿ｍｏｄｅ＿ｍａｒｇｉｎ＝−ＯＦＤＭＡ＿ｓｕｂ＿ｐｅｎａｌｔｙ）、一定電力送信、および／または全送信電力スペクトル密度が一定に保たれる、一定電力スペクトル密度送信に依存し得る。このケースにおいては、全送信電力は、割り当てられたリソースユニットに基づいて増減され、および／またはＴＰ＿ｍｏｄｅ＿ｍａｒｇｉｎ＝０である。
【００６９】
ＯＦＤＭＡ＿ｍａｒｇｉｎが、おそらくは、例えば、サブチャネル／サブバンドベースで、より高い／より低いＣＣＡ閾値を可能にするために設定され得る。
【００７０】
ｎ  ＭＨｚに等しい動作サブチャネルチャネル帯域幅を用いるＨＥ  ＳＴＡは、Ｓｕｂ＿ｃｈａｎｎｅｌ＿ＣＣＡ＿ｌｅｖｅｌ（ｄＢｍ）＝ｆ（ＣＣＡ＿ＳＴＡ（ｄＢｍ），サブチャネルサイズペナルティ（ｄＢ），送信電力モード，ＯＦＤＭＡマージン）（ｄＢｍ）に基づいて、それのｓｕｂ−ｃｈａｎｎｅｌ＿ＣＣＡ＿ｌｅｖｅｌを設定し得る。一例においては、Ｓｕｂ＿ｃｈａｎｎｅｌ＿ＣＣＡ＿ｌｅｖｅｌ（ｄＢｍ）＝ＣＣＡ＿ＳＴＡ（ｄＢｍ）−Ｐｅｎａｌｔｙ（ｄＢ）−ＯＦＤＭＡ＿ｍａｒｇｉｎ＋ＴＰ＿ｍｏｄｅ＿ｍａｒｇｉｎ（ｄＢｍ）であり、および／またはこの値以上のサブチャネル帯域幅内のエネルギーレベルについては、４μｓ以内に確率＞９０％で、ＰＨＹにＰＨＹ−ＣＣＡ．ｓｕｂ＿ｃｈａｎｎｅｌ＿ｉｎｄｉｃａｔｅ（ビジー）を設定させ得る。ＣＣＡ＿ｌｅｖｅｌ＿ｓｕｂ＿ｃｈａｎｎｅｌおよび／またはサブチャネルサイズは、事前に推定され得、および／または設定され得る。
【００７１】
例示的な（例えば、網羅的な）サブチャネルＣＣＡが説明される。ＳＴＡは、可能なＯＦＤＭＡサブチャネル割り当て（例えば、１つもしくは複数または全ての可能なＯＦＤＭＡサブチャネル割り当て）をスイープし得る。例えば、２０ＭＨｚにおける８０２．１１ａｘ送信についての可能なニューメロロジが、図１１Ａに示されている。全部で１６のＣＣＡ閾値比較が実行され得、それらは、以下のうちの１つまたは複数、すなわち、２６トーンのＲＵを用いるＲＵ９のための９つの比較（図１１Ａにおけるチャネル１から９）、５２トーンのＲＵ＋１つの２６トーンのＲＵを用いるＲＵ５のための４つの比較（例えば、２６トーンのＲＵはすでに比較されている）（図１１Ａにおけるチャネル１０から１３）、１０２のデータトーン＋１つの２６トーンのＲＵを用いるＲＵ３のための２つの比較（図１１Ａにおけるチャネル１４および／もしくは１５）、並びに／または２４２トーンのＲＵのための１つの比較（図１１Ａにおけるチャネル１６）を含み得る。チャネル１６の比較は、先のＣＣＡ閾値測定および／または比較と類似し得る。１つもしくは複数または各々のエネルギー測定は、例えば、フィルタが所望の周波数を分離した後に実行される時間領域エネルギー測定に基づいて、アナログ領域において実行され得る。１つもしくは複数または各々のエネルギー測定は、例えば、受信信号のＦＦＴ処理の後、デジタル領域において実行され得る。所望のトーンにおけるエネルギーは、先に説明されたように、測定され得、および／または閾値と比較され得る。図１１Ｂは、チャネル１から１４を用いる別の例である。
【００７２】
ＣＣＡについては、対応するＣＣＡ閾値を有する送信帯域幅である｛ＣＣＡ＿ｔｘ｝、および／または対応するＣＣＡ閾値を有するサブチャネル帯域幅である｛ＣＣＡ＿ｓｕｂ＿ｔｘ｝が仮定され得る。チャネルにおけるエネルギーが閾値を超えない場合、ＰＨＹ＿ＣＣＡ．ｉｎｄｉｃａｔｉｏｎは、送信帯域幅｛ＣＣＡ＿ｔｘ｝については、０に設定され得る。これは、レガシＳＴＡが計算に入れられることを保証し得る。チャネルにおけるエネルギーがＣＣＡ閾値を超える場合、ＰＨＹ＿ＣＣＡ．ｉｎｄｉｃａｔｉｏｎは、送信帯域幅｛ＣＣＡ＿ｔｘ｝および／またはフレーム持続時間（ｄ）については、１に設定され得る。サブチャネルベースのＣＣＡ手順については、サブチャネルＣＣＡ推定が、開始され得る。１つもしくは複数または各々のサブチャネルについてのエネルギーが、測定され得る。１つもしくは複数または各々のサブチャネルについては、サブチャネルにおけるエネルギーがＣＣＡ＿ｌｅｖｅｌ＿ｓｕｂ＿ｃｈａｎｎｅｌ閾値を超えない場合、ＰＨＹ＿ＣＣＡ．ｓｕｂ−ｃｈａｎｎｅｌ＿ｉｎｄｉｃａｔｉｏｎは、サブチャネル帯域幅｛ＣＣＡ＿ｓｕｂ＿ｔｘ｝については、０に設定され得る。サブチャネルにおけるエネルギーがＣＣＡ＿ｌｅｖｅｌ＿ｓｕｂ＿ｃｈａｎｎｅｌ閾値を超える場合、ＰＨＹ＿ＣＣＡ．ｓｕｂ−ｃｈａｎｎｅｌ＿ｉｎｄｉｃａｔｉｏｎは、サブチャネルサイズ｛ＣＣＡ＿ｓｕｂ＿ｔｘ｝については、１に設定され得る。例示的な技法が図１２に示されている。
【００７３】
簡略化されたサブチャネルベースのＣＣＡが、提供され得る。１つもしくは複数または各々のＳＴＡは、ＣＣＡ比較（例えば、２６トーンのＲＵの割り当てを仮定する１つもしくは複数または９つ全てのＣＣＡ比較）の１つもしくは複数または各々をスイープし得る。これは、網羅的な方法と比較したとき、複雑さを小さくし得る。使用されるＣＣＡ閾値は、エネルギーが帯域幅全体にわたって送信されることを仮定し得る。チャネルは、１つのＲＵ割り当てシナリオにおいてさえも、ビジーとして識別され得る。サブチャネルベースのＣＣＡ手順については、サブチャネルＣＣＡ推定を開始する。１つもしくは複数または各々のサブチャネルについて、エネルギーが測定され得る。１つもしくは複数または各々のサブチャネルについては、サブチャネルにおけるエネルギーがＣＣＡ＿ｌｅｖｅｌ＿ｓｕｂ＿ｃｈａｎｎｅｌ閾値を超えない場合、ＰＨＹ＿ＣＣＡ．ｓｕｂ−ｃｈａｎｎｅｌ＿ｉｎｄｉｃａｔｉｏｎは、サブチャネル帯域幅｛ＣＣＡ＿ｓｕｂ＿ｔｘ｝については、０に設定され得る。サブチャネルにおけるエネルギーがＣＣＡ＿ｌｅｖｅｌ＿ｓｕｂ＿ｃｈａｎｎｅｌ閾値を超える場合、ＰＨＹ＿ＣＣＡ．ｓｕｂ−ｃｈａｎｎｅｌ＿ｉｎｄｉｃａｔｉｏｎは、サブチャネルサイズ｛ＣＣＡ＿ｓｕｂ＿ｔｘ｝については、１に設定され得る。例示的な技法が、図１３において示されている。
【００７４】
本明細書にて説明されるシステム、デバイスおよび／または方法は、階層的サブチャネルベースのＣＣＡ手順を含み得る。ＳＴＡが、チャネルをビジーであると識別し、並びに／またはいずれの未使用チャネルおよび／もしくは部分使用チャネルも識別しないことがあるシナリオが、存在し得る。これは、部分的隠れノードを防止するために、チャネルにおいていずれかの送信が存在するかどうかを識別しようとする、非ＯＢＳＳ  ＳＴＡについて生じ得る。それは、送信中にウェイクアップし得る非ＯＢＳＳ  ＳＴＡについても生じ得る。ＳＴＡは、以下のことを開始し得、それは、以下のうちの１つまたは複数を含み得る。ＲＵ１閾値を使用して、ＲＵ１上においてＣＣＡを実行する。チャネルがビジーである場合、ｃｈａｎｎｅｌ＿ｂｕｓｙおよび／または終了を示す。チャネルがビジーでない場合、ＲＵ２上においてＣＣＡを実行する。チャネルがビジーである場合、チャネルビジーおよび／または終了を示す。チャネルがビジーでない場合、ＲＵ４上においてＣＣＡを実行する。チャネルがビジーである場合、チャネルビジーおよび／または終了を示す。チャネルがビジーでない場合、ＲＵ９上においてＣＣＡを実行する。チャネルがビジーである場合、チャネルビジーおよび／または終了を示す。チャネルがビジーでないことを示す。例示的な技法が、図１４Ａおよび図１４Ｂに示されている。
【００７５】
本明細書にて説明されるシステム、デバイスおよび／または方法は、ビジーサブチャネルおよび／またはインジケータトーン方法および／またはシステムを含み得る。ＯＦＤＭＡ送信が生じ得ることを示すインジケータチャネルのセットが、使用され得る。未使用トーンのセットが、この目的のために割り当てられ得る。（図１１Ａに示されるような）ＲＵ９トーンの１つが、この目的のために使用され得る。図１１Ａは、例えば、８０２．１１ａｘのために提案された、例示的なニューメロロジを示している。図１１Ａにおいては、ライン１１０２は、未割り当てトーンおよび／または未使用トーンを示す。図１１Ｂは、別の例示的なニューメロロジである。図１１Ｂにおいては、黒いライン１１０４は、未割り当てトーンおよび／または未使用トーンを示す。進行中のＯＦＤＭＡ送信が存在するかどうかを識別する助けとなるように、いずれかの送信ＳＴＡによって、これらの未使用トーンにエネルギーが配置され得る。ＯＦＤＭＡサブチャネル割り当ての１つもしくは複数または全てに共通するように、エネルギーは、中央の２６トーンＲＵ−９サブチャネル上に配置され得る。送信ＳＴＡは、同時に送信するＳＴＡの数に基づいて、これらのトーンにおいて送信されるエネルギーを調整し得る。これは、受信機において受信されるエネルギーがＡＧＣを圧倒しないことを保証し得る。送信することを望むＳＴＡは、特定のトーンを調べ得、および／またはチャネル上においていずれかのエネルギーが存在するかどうかを識別し得る。これは、インジケータトーンにおける総エネルギーの閾値との比較に基づき得る。これは、インジケータトーンにおけるエネルギーを他のトーンにおけるエネルギーと比較することによって、行われ得る。他と比較してインジケータトーンにおいてエネルギーの著しい増加が存在するシナリオは、ＯＦＤＭＡ送信の存在を示し得る。インジケータトーンを用いる例示的なニューメロロジが、図１５に示されている。図１５における１つもしくは複数または各々のブロックは、サブチャネルを表す。１５０２は、未割り当てトーンであり、および／またはそれらは、インジケータチャネルとして使用され得る。他のブロック番号１から１６のうちの１つもしくは複数または各々は、サブチャネルおよび／またはリソースユニットであり得る。いずれかのＯＦＤＭＡ送信は、インジケータトーン位置１５０２においてエネルギーを含み得る。
【００７６】
図１６においては、ＳＴＡは、５２トーンＲＵ割り当てを使用して送信し得、および／またはインジケータトーンにおいてエネルギーを送信する。図１６における１６０２は、ＳＴＡが割り当てられ、および／またはその上で送信しているサブチャネルを示す。このＳＴＡの近くにあり得るＳＴＡは、インジケータチャネルにおける総エネルギーを測定し得、および／またはこれを閾値と比較し得る。インジケータチャネルおよび／または非インジケータチャネル間のエネルギーの差が、測定され得る。著しい差は、ＯＦＤＭＡ送信の使用を示し得る。図１７の例に示されるように、ＳＴＡ１およびＳＴＡ２は、互いの近くにあり、一方、ＳＴＡ３は、ネットワークの反対側にある。サブチャネル割り当ておよびインジケータチャネルが、図１８において示されている。図１８においては、ブロック１８０２、１８０４、１８０６および／または１８０８は、１つもしくは複数または各々のＳＴＡが割り当てられ、および／または送信しているサブチャネルを示す。ＳＴＡ１は、５２トーンのサブチャネル１８０２に割り当てられ、ＳＴＡ２は、５２トーンのサブチャネル１８０４に割り当てられ、ＳＴＡ３は、２６トーンのサブチャネル１８０６および／または１０４トーンのサブチャネル１８０８に割り当てられる。ＳＴＡ４は、図１９に示されるような信号を受信し得る。１つもしくは複数または各々のＳＴＡは、トーン当たりの総電力の３分の１とし得る、インジケータトーン１８１０、１８１２、１８１４を送信する。図１９において、ブロック１９０２、１９０４は、ＳＴＡ４によって受信されるＳＴＡ１からのエネルギー１９０２、およびＳＴＡ２からのエネルギー１９０４を示す。黒いバー１９０６は、インジケータチャネルにおけるＳＴＡ１から受信されるエネルギーおよび／またはＳＴＡ２から受信されるエネルギーの総和を示す。ＳＴＡ１は、送信帯域幅全体において、先のＣＣＡ手順を実行し得る。これは、おそらくは、例えば、他のサブバンドにおいて検出されるエネルギーなしのせいで、失敗することがある。ＳＴＡ１は、１つもしくは複数または各々のインジケータチャネルおよび／またはサブチャネルのエネルギーを、
サブチャネル１＞０、インジケータチャネル＞０
サブチャネル２＞０、インジケータチャネル＞０
サブチャネル３＝０、インジケータチャネル＞０
サブチャネル４＝０、インジケータチャネル＞０、および／または
サブチャネル５＝０
と測定し得る。サブチャネルにおけるエネルギー分配、および／またはインジケータチャネルにおけるエネルギーは、ＯＦＤＭＡ送信が生じていることを示し得る。
【００７７】
説明されるシステム、デバイス、および／または方法は、ＯＢＳＳ  ＯＦＤＭＡ送信における空間再使用のために、ＯＦＤＭＡベースのＣＣＡ方法および／またはシステムを使用する送信を含み得る。異なるＳＴＡによって使用されるサブチャネルについての情報は、１つもしくは複数または各々のＯＢＳＳ  ＳＴＡによって推定され得る。これは、ＯＢＳＳ  ＳＴＡが、それらが再使用し得るバンドを識別することを可能にするために、変更されたＣＣＡ手順に基づき得る。これは、どのサブチャネルが再使用され得るかについての情報が明示的に送信される、上述されたものとは異なる。ＯＦＤＭＡスケジュール／トリガフレーム、データ送信フレームおよび／またはＯＦＤＭＡデータポーリングフレームを受信すると、ＯＢＳＳ  ＳＴＡは、１つもしくは複数もしくは各々のサブチャネルにおけるエネルギーを推定し、および／またはサブチャネルサイズを計算に入れたＣＣＡ閾値に基づいて、サブチャネルが送信のために利用可能であるかどうかを推定する、階層的なＣＣＡメカニズムを開始し得る。
【００７８】
説明されるシステム、デバイスおよび方法は、空間再使用を可能にする１つもしくは複数または各々のサブチャネル（例えば、１つもしくは複数または全てのサブチャネル）を用いる送信を含み得る。ＯＢＳＳ  ＳＴＡにおいては、１つもしくは複数または全てのサブチャネルが、空間再使用のために使用されることができる。手順は、ＯＦＤＭＡベースのＣＣＡ閾値メカニズムを使用するＵＬ−ＯＦＤＭＡ送信のために使用され得る。プライマリＢＳＳ内において、ＡＰは、ＵＬ  ＯＦＤＭＡスケジュールフレームを、ＵＬ  ＯＦＤＭＡ  ＳＴＡに送信し得る。スケジュールフレームは、スケジュールされたＳＴＡ、および／またはそれらの割り当てサブチャネルについての情報を含み得る。ＵＬ  ＯＦＤＭＡ  ＳＴＡは、データをＡＰに送信し得る。１つもしくは複数または各々の送信フレームは、１つもしくは複数または各々のＳＴＡについてのＵＬ  ＯＦＤＭＡデータを含み得る。ＯＢＳＳ  ＳＴＡは、ＡＰによる元の送信、および／またはＳＴＡによる再送を漏れ聞き得る。ＯＢＳＳ  ＳＴＡは、ＢＳＳに参加するＳＴＡ上において、並びに／またはそれが、それの近隣ＢＳＳにおけるＯＦＤＭＡ送信が進行中であると決定したときに（例えば、それが、ＯＦＤＭＡスケジュールおよび／もしくはトリガフレームを漏れ聞いたときに）、ＢＳＳによって示されるように、上述されたようなＯＦＤＭＡベースのＰＨＹ＿ＣＣＡ．ｉｎｄｉｃａｔｉｏｎ手順を開始し得る。ＯＢＳＳ  ＳＴＡは、漏れ聞かれた送信から、ＯＢＳＳ送信に対してロバストなサブチャネルを識別する。ＯＢＳＳ  ＳＴＡは、上述されたようなＯＦＤＭＡベースのＰＨＹ＿ＣＣＡ．ｉｎｄｉｃａｔｉｏｎ手順を開始し得る。ＰＨＹ＿ＣＣＡ．ｓｕｂ−ｃｈａｎｎｅｌ＿ｉｎｄｉｃａｔｉｏｎは、０に設定され得る。ＯＢＳＳ内におけるバックオフ手順が開始され得る。バックオフ後にサブチャネルにアクセスすることができる場合、ＰＨＹ＿ＣＣＡ．ｓｕｂ−ｃｈａｎｎｅｌ＿ｉｎｄｉｃａｔｉｏｎ＝０である利用可能なサブチャネルのための送信手順が開始され得る。ＰＨＹ＿ＣＣＡ．ｓｕｂ−ｃｈａｎｎｅｌ＿ｉｎｄｉｃａｔｉｏｎが１に設定されている場合、サブチャネルは使用されない。ＯＢＳＳ  ＳＴＡは、ロバストな利用可能なサブチャネル上において送信し得る。サブチャネルサイズが２０ＭＨｚ未満であるシナリオにおいては、ＯＢＳＳ  ＳＴＡは、それの送信をそのサブチャネルに制限し得る。プライマリＢＳＳ内において送信データの受信に成功すると、ＳＴＡはＡＣＫをＡＰに送信し得る。ＡＣＫは一斉に送信され得ることに留意されたい。技法が図２０または図２１に示される。
【００７９】
図２０において、円２００２は、ＢＳＳ１の論理的境界を示し、一方、円２００４、２００６、２００８、２０１０は、１つもしくは複数または各々のＳＴＡの周りの、それの送信電力に基づいて、そのＳＴＡからの送信によって影響されるエリアを示す。図２０において、円は、ＢＳ１  ＡＰにおいてオーバラップすることが見て取れ、そのことから、ＢＳ１  ＡＰがアップリンクＯＦＤＭＡ送信の受信機であることが予期される。やはり示されるように、ＢＳ２は、ＢＳ２  ＳＴＡ１、およびＢＳ２  ＡＰを含む。図２０において、円２０１２は、ＢＳ２  ＳＴＡ１についてのＣＣＡ閾値の範囲を示す。これは、ＢＳ１  ＳＴＡ１、ＢＳ１  ＳＴＡ３、およびＢＳ１  ＳＴＡ４と交わるので、ＯＢＳＳ  ＳＴＡは、送信帯域幅全体にわたってＣＣＡを測定するとき、送信を妨げられ得る。図２１において、フレーム２１０２、２１０４は、ＢＳＳ１内においてＡＰによって送信されるＯＦＤＭＡスケジュールおよび／または肯定応答フレームを示し、一方、フレーム２１０６は、ＳＴＡからＡＰへのデータ送信フレームを示す。変更されたＣＣＡを使用して、ＢＳＳ２  ＳＴＡ１は、２１０８において、サブチャネル１、３、および／もしくは４をビジーであると識別することができ得、並びに／または２０１０において、サブチャネル内においてデータを送信することができ得る。
【００８０】
説明されるシステム、デバイス、および／または方法は、空間再使用を可能にするＯＦＤＭＡサブチャネルのサブセットを用いる送信を含み得る。近隣ＢＳＳは、ＯＦＤＭＡ送信を使用し得、および／または周波数再使用に対してロバストなサブチャネルのサブセット（例えば、サブチャネルのサブセットだけ）が、ＳＴＡを用いてスケジュールされ得ることを示す情報を、ＯＢＳＳ  ＳＴＡに送信し得る。ＯＦＤＭＡベースのＣＣＡ手順は、示されたサブチャネルのサブセット上（例えば、サブチャネルのサブセット上だけ）で実行され得る。以下の手順は、任意の論理的順序で、以下のうちのいずれかを使用し得る。ＢＳＳは、あるサブチャネルをＯＦＤＭＡ送信中における周波数再使用のために利用可能であるとして指定するために、それらの間でネゴシエーションを行い得る。ネゴシエーションは、近隣ＢＳＳが、直交サブチャネルを周波数再使用のために利用可能であるとして割り当て得るようなものであり得る。ＯＢＳＳ  ＳＴＡにおいて、１つもしくは複数または全てのサブチャネルが、空間再使用のために使用され得る。以下の手順は、ＯＦＤＭＡベースのＣＣＡ閾値メカニズムを使用するＵＬ−ＯＦＤＭＡ送信のために、任意の論理的順序で、以下のうちのいずれかを使用し得る。プライマリＢＳＳ内においては、ＡＰは、ＵＬ  ＯＦＤＭＡスケジュールフレームを、ＵＬ  ＯＦＤＭＡ  ＳＴＡに送信し得る。スケジュールフレームは、スケジュールされたＳＴＡ、および／またはそれらの割り当てサブチャネルについての情報を含み得る。ＵＬ  ＯＦＤＭＡ  ＳＴＡは、データをＡＰに送信し得る。１つもしくは複数または各々の送信フレームは、１つもしくは複数または各々のＳＴＡについてのＵＬ  ＯＦＤＭＡデータを含み得る。
【００８１】
１つまたは複数の技法においては、周波数再使用と呼ばれる概念は、本明細書にて説明されるような空間再使用（ＳＲ）の概念と実質的に同様であると見なされ得る。
【００８２】
ＯＢＳＳ  ＳＴＡは、ＡＰによる元の送信、および／またはＳＴＡによる再送を漏れ聞き得る。ＯＢＳＳ  ＳＴＡは、ＢＳＳに参加するＳＴＡ上において、並びに／またはそれが、それの近隣ＢＳＳにおけるＯＦＤＭＡ送信が進行中であると決定したときに（例えば、それが、ＯＦＤＭＡスケジュールおよび／もしくはトリガフレームを漏れ聞いたときに）、ＢＳＳによって示されるように、１つもしくは複数または全ての時点において、上述されたようなＯＦＤＭＡベースのＣＣＡ手順を開始し得る。ＯＢＳＳ  ＳＴＡは、漏れ聞かれた送信から、ＯＢＳＳ送信に対してロバストなサブチャネルを識別し得る。ＯＢＳＳ  ＳＴＡは、プライマリＢＳＳが周波数再使用と好相性であると示したサブチャネルに、手順を制限し得る。ＯＢＳＳ  ＳＴＡは、上述されたようなＯＦＤＭＡベースのＰＨＹ＿ＣＣＡ．ｉｎｄｉｃａｔｉｏｎ手順を開始し得る。ＰＨＹ＿ＣＣＡ．ｓｕｂ−ｃｈａｎｎｅｌ＿ｉｎｄｉｃａｔｉｏｎが０に設定されている場合、例えば、サブチャネルが利用可能である場合、ＯＢＳＳ内におけるバックオフ手順が、開始され得る。バックオフ後にサブチャネルにアクセスすることができる場合、ＰＨＹ＿ＣＣＡ．ｓｕｂ−ｃｈａｎｎｅｌ＿ｉｎｄｉｃａｔｉｏｎ＝０である利用可能なサブチャネルのための送信手順が、開始され得る。ＰＨＹ＿ＣＣＡ．ｓｕｂ−ｃｈａｎｎｅｌ＿ｉｎｄｉｃａｔｉｏｎが１に設定されている場合、サブチャネルは、使用され得ない。ＯＢＳＳ  ＳＴＡは、ロバストな利用可能なサブチャネル上（例えば、サブチャネルのサブセット上だけ）において送信し得る。サブチャネルサイズが２０ＭＨｚ未満であるようなシナリオにおいては、ＯＢＳＳ  ＳＴＡは、それの送信をそのサブチャネルに制限し得る。プライマリＢＳＳ内において送信データの受信に成功すると、１つもしくは複数または各々のＳＴＡは、ＡＣＫをＡＰに送信し得る。ＡＣＫは、一斉に送信され得る。
【００８３】
説明されるシステム、デバイスおよび方法は、ＯＢＳＳ  ＳＴＡについてのＣＳＭＡ／ＣＡアクセス優先度を変更することを含み得る。上述されたように収集された情報は、ＯＢＳＳ  ＳＴＡが媒体にアクセスするために使用し得るＣＳＭＡ／ＣＡ優先度を変更するために使用され得る。空間再使用に適したサブチャネルを識別すると、それらは、そのサブチャネル上（例えば、そのサブチャネル上だけ）においてより高い優先度を有するように、および／または送信チャネル全体上において送信のためのより高い優先度を有し、少なくとも１つの送信をそのサブチャネル／サブバンド（例えば、そのサブチャネル／サブバンドだけ）に制限するように、それらのＣＳＭＡ／ＣＡアクセスを変更し得る。
【００８４】
例えば、２つのＲＵを含むシナリオにおいては、ＯＢＳＳ  ＳＴＡは、それが、（ＳＲ対応および／または「好相性」でないことがある）ＲＵ２上においてよりも、（ＳＲ対応および／または「好相性」であり得る）ＲＵ１上において、より高い優先度（例えば、確率）で送信するように、１つまたは複数のＣＳＭＡ／ＣＡ送信パラメータを調整し得る。
【００８５】
説明されるシステム、デバイスおよび／または方法は、ウェイクアップするスリーピングＳＴＡのためにＯＦＤＭＡベースのＣＣＡ手順を使用する送信を含み得る。この手順は、プライマリＢＳＳ内のＳＴＡおよび／またはＯＢＳＳ内のＳＴＡの両方によって従われ得る。スリープモードにあるＳＴＡは、ＯＦＤＭＡ送信中にウェイクアップし得る。媒体がビジーであるかどうかを決定するために、以下の手順においては、以下のうちの１つまたは複数が、任意の論理的順序で使用され得る。ＡＰおよび／またはＳＴＡは、ＯＦＤＭＡ送信を計算に入れたスリープモード空きチャネル判定（ＣＣＡ）手順を設定し得る。これは、デフォルトモードとして設定され得、および／またはアソシエーション中にネットワークによってフラグを用いて設定され得る。これは、ＯＦＤＭＡスリープモードと呼ばれることがある。本明細書において説明されるようなＯＦＤＭＡベースのＣＣＡ手順は、チャネルがビジーであるかどうかを決定するために使用され得る。サブチャネルの網羅的な探索の代わりに、ｘのサブチャネルが、ＰＨＹ＿ＣＣＡ．ｓｕｂ−ｃｈａｎｎｅｌ＿ｉｎｄｉｃａｔｉｏｎ＝１を有する場合、チャネルはビジーである。ｘの値は、１とし得、および／またはフォールスアラーム確率を最小にするように設定され得る。ＡＰは、地理的な方法で、サブチャネルを割り当て得る。ＳＴＡは、チャネルがビジーであるかどうかを決定するために、サブチャネルのうちの特定のサブセットを測定することができ得る。測定するチャネルは、ＡＰによって特定のＳＴＡに伝達され得、および／または１つもしくは複数もしくは各々のＳＴＡによって動的に発見され得る。このケースにおいては、本文書において前述した方法のいずれかに基づいた、特定のサブチャネルのためのものではない、ＯＦＤＭＡベースのＣＣＡ手順が、チャネルがビジーであるかどうかを決定するために使用され得、および／または１つもしくは複数もしくは各々の特定のＳＴＡのために実施され得る。ＳＴＡが北（チャネル１）、南（チャネル３）、東（チャネル２）、および／または西（チャネル４）に配置されたアップリンクＯＦＤＭＡ送信が、仮定され得る。南西の位置に配置されたＳＴＡは、ウェイクアップ時に、チャネル３および／または４をチェックすることを求められ得る。ＯＦＤＭＡ送信時、ＡＰは、ＳＴＡがウェイクアップ時に適切なＣＣＡを実行することを可能にするために、西のＳＴＡおよび／または南のＳＴＡをチャネル３および／または４にスケジュールし得る。ウェイクアップしたＳＴＡは、チャネルアクセス手順を開始するために、それが新しい送信を漏れ聞くまで待つように命じられ得る。これは、ＳＴＡが進行中のＯＦＤＭＡ送信を妨げることを防止し得る。
【００８６】
説明されるシステム、デバイスおよび／または方法は、サブチャネル測定を含み得る。説明されるシステム、デバイスおよび／または方法は、サブチャネル負荷測定を含み得る。ＳＴＡは、異なるサブチャネル上において、アンバランスな送信を経験し得る。このＳＴＡについては、あるサブチャネルは、残りのサブチャネルよりも過重に利用されていることがある。ここでの利用は、それ自体のＢＳＳおよび／またはＯＢＳＳ内において発生する送信のことを指し得る。これは、このＳＴＡの周りのオーバラッピングＢＳＳの幾何形状、および／またはＯＢＳＳ  ＡＰのサブチャネル上における空間再使用モード設定に起因し得る。ＡＰは、１つもしくは複数または各々のＳＴＡについて、異なるサブチャネル上におけるアクセス優先度を決定し得る。ＡＰは、ＳＴＡからのサブチャネル負荷情報を使用し得る。サブチャネル負荷は、１つもしくは複数または各々のサブチャネル上において媒体がビジーであるとＳＴＡが感知した時間のパーセンテージとして定義され得る。測定ＳＴＡによって観測されたチャネル利用測定を返す、既存のチャネル負荷要求／報告ペアは、変更され得、および／またはサブチャネル負荷要求報告のために再使用され得る。ＡＰは、サブチャネル測定要求フレームを、ＳＴＡおよび／またはＳＴＡのグループに送信し得る。ＡＰは、１つまたは複数のサブチャネル上におけるサブチャネル測定を報告するように、ＳＴＡに要求し得る。要求を受信すると、ＳＴＡは、サブチャネルを測定し得、および／またはサブチャネル測定報告をＡＰに送信し得る。ＡＰが１つのＳＴＡに測定を要求するケースにおいては、ＳＴＡは、要求フレームを受信してからｘＩＦＳ時間後に、測定報告をＡＰに送信し得る。
【００８７】
例えば、おそらくは、ＡＰが２つ以上のＳＴＡに測定要求を送信した場合、ＳＴＡは、測定報告をＡＰに送信するために、以下のうちの１つまたは複数を使用し得る。ＳＴＡは、ポーリング送信方式で、測定報告を送信し得る。ＡＰは、１つのＳＴＡにポーリングを行い得、および／またはポーリングされたＳＴＡは、報告を送信する。第１のＳＴＡは、ポーリングなしに報告を送信し得る。ＳＴＡは、次々と順番に測定報告を送信し得る。フレームは、ｘＩＦＳによって分離され得る。ＳＴＡは、おそらくは、例えば、それらが媒体を競い合い、および／または獲得したときに、測定報告を送信し得る。報告は、測定要求フレームの受信に（例えば、直ちに）後続しないことがあり、および／またはそれは、遅延モードで送信され得る。ＳＴＡは、ＵＬ  ＭＵ−ＭＩＭＯ、ＵＬ  ＯＦＤＭＡなど、同時アップリンク送信方式を使用して、測定報告を送信し得る。ＡＰは、ＳＴＡが、サブチャネル負荷測定を自律的に、および／またはトリガベースで報告することを可能にし得る。ＡＰは、ＳＴＡが報告を送信し得るときの条件を示し得る。ＳＴＡは、それがアンバランスなサブチャネル負荷を観測し得たときに、サブチャネル負荷報告を送信し得る。アンバランスなサブチャネル負荷の条件は、異なるサブチャネル上における最大サブチャネル負荷および／または最小サブチャネル負荷の比を指定された閾値と比較することによって定義され得る。測定は、指定された期間の間、および／または指定された期間よりも長い期間の間、行われ得る。サブチャネル負荷要求のための測定要求フィールドの例示的なフォーマットが、表３において定義され得る。
【００８８】
【表３】
0006697003.tif 000004
【００８９】
サブチャネルインジケーションは、送信先ＳＴＡが、サブチャネルの１つもしくは複数もしくは全て、および／またはサブチャネルの部分／サブセット上におけるサブチャネル負荷を報告し得るかどうかを示し得る。
【００９０】
サブチャネルインデックスは、報告がサブチャネルのサブセット上における測定であり得ることをサブチャネルインジケーションが示すときに（例えば、報告がサブチャネルのサブセット上における測定であり得ることをサブチャネルが示すときだけに）、存在し得る。フィールドは、サブチャネル負荷測定のために使用され得るサブチャネルインデックスを示し得る。
【００９１】
報告タイプは、異なる報告タイプを示すために利用され得る。即時報告については、この値は、要求フレームの受信後直ちに、報告が送信され得ることを示し得る。即時ＭＵ報告については、この値は、要求フレームの受信後に、報告が（例えば、直ちに）送信され得、および／またはＭＵ送信が使用され得ることを示し得る。ＯＦＤＭＡ、ＭＵ−ＭＩＭＯなどの詳細なＭＵ送信方法が、このフィールドによって示され得る。トリガ報告の値は、報告がトリガモードで送信され得ることを示し得る。例えば、ＡＰは、報告の送信をトリガするために、ポーリングフレームを送信し得る。遅延トリガ報告については、この値は、報告が遅延方法で送信され得ることを示し得る。報告は、送信前にＡＰによってポーリングおよび／またはトリガされ得る。遅延トリガＭＵ報告については、この値は、報告が遅延方法で送信され得、および／またはＭＵ送信が使用され得ることを示し得る。ＯＦＤＭＡ、ＭＵ−ＭＩＭＯなどの詳細なＭＵ送信方法が、このフィールドによって示され得る。遅延自律報告については、この値は、報告が遅延方法で送信され得ることを示し得る。報告は、送信前にＡＰによってポーリングおよび／またはトリガされ得ない。ＳＴＡが、ある条件において報告を送信することを決定し得る。
【００９２】
報告条件は、ＳＴＡがサブチャネル負荷を報告し得るときの条件を示すために利用され得る。いくつかの報告条件が指定され得る。例えば、以下のうちの１つまたは複数、すなわち、最大サブチャネル負荷と最小サブチャネル負荷との比が指定された値よりも大きいこと、最大サブチャネル負荷が指定された値よりも大きいこと、最小サブチャネル負荷が指定された値よりも小さいこと、平均サブチャネル負荷が指定された値よりも大きいこと、および／または平均サブチャネル負荷が指定された値よりも小さいことが、指定され得る。
【００９３】
測定持続時間フィールドは、測定持続時間閾値を示し得る。送信先ＳＴＡは、この持続時間閾値の間、および／または持続時間閾値よりも長く測定を実行し得る。このフィールドは、規格と同じ方法で定義され得る。ベンダ固有フィールドは、ベンダによって使用され得る。予約フィールドが、確保される。
【００９４】
サブチャネル負荷報告のための測定報告フィールドの例示的なフォーマットが、表４にあるように定義され得る。
【００９５】
【表４】
0006697003.tif 000005
【００９６】
サブチャネルインジケーションは、報告がそれのためのものであるサブチャネルのインデックスを示し得る。報告タイプは、異なる報告タイプを示すために利用され得る。報告タイプは、測定要求フィールドにおいて定義されたものと同じであり得る。
【００９７】
報告条件は、サブチャネル負荷を報告するようにＳＴＡが設計され得る条件を示すために利用され得る。報告条件は、測定要求フィールドにおいて定義されたものと同じであり得る。実際測定開始時刻は、規格と同じ方法で定義され得る。測定持続時間フィールドは、規格と同じ方法で定義され得る。
【００９８】
サブチャネル負荷は、１つもしくは複数または多数のサブチャネルについてのサブチャネル負荷を報告するために利用され得る。このフィールドは、サブチャネルＩＤを含み得、および／または対応するサブチャネル負荷によって続かれ得る。上記で言及された構造は、１つもしくは複数または全ての報告されるサブチャネルのために繰り返され得る。フィールドは、サブチャネル負荷を含み得、および／または命令（例えば、サブチャネル負荷のサブチャネルインデックスへのマッピング）が、事前に指定され得る。ベンダ固有フィールドは、ベンダによって使用され得る。予約フィールドが、確保される。
【００９９】
図２２Ａは、１つまたは複数の開示される実施形態が実施され得る例示的な通信システム１６００の図である。例えば、無線ネットワーク（例えば、通信システム１６００の１つまたは複数のコンポーネントを備える無線ネットワーク）は、無線ネットワークを超えて（例えば、無線ネットワークと関連付けられたウォールドガーデンを超えて）広がるベアラが、ＱｏＳ特性を割り当てられ得るように構成され得る。
【０１００】
通信システム１６００は、音声、データ、ビデオ、メッセージング、放送などのコンテンツを、１つもしくは複数または多数の無線ユーザに提供する、多元接続システムとし得る。通信システム１６００は、１つもしくは複数または多数の無線ユーザが、無線帯域幅を含むシステムリソースの共用を通して、そのようなコンテンツにアクセスすることを可能にし得る。例えば、通信システム１６００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、および／またはシングルキャリアＦＤＭＡ（ＳＣ−ＦＤＭＡ）など、１つまたは複数のチャネルアクセス方法を利用し得る。
【０１０１】
図２２Ａに示されるように、通信システム１６００は、複数の無線送受信ユニット（ＷＴＲＵ）、例えば、ＷＴＲＵ１６０２ａ、１６０２ｂ、１６０２ｃおよび／または１６０２ｄなど、少なくとも１つのＷＴＲＵ、無線アクセスネットワーク（ＲＡＮ）１６０４、コアネットワーク１６０６、公衆交換電話網（ＰＳＴＮ）１６０８、インターネット１６１０並びに他のネットワーク１６１２を含み得るが、開示される実施形態は、任意の数のＷＴＲＵ、基地局、ネットワークおよび／またはネットワーク要素を企図していることが理解されるべきである。ＷＴＲＵ１６０２ａ、１６０２ｂ、１６０２ｃ、１６０２ｄの各々は、無線環境において動作および／または通信するように構成された任意のタイプのデバイスとし得る。例えば、ＷＴＲＵ１６０２ａ、１６０２ｂ、１６０２ｃ、１６０２ｄは、無線信号を送信および／または受信するように構成され得、ユーザ機器（ＵＥ）、移動局、固定もしくは移動加入者ユニット、ページャ、セルラ電話、ＰＤＡ、スマートフォン、ラップトップ、ネットブック、パーソナルコンピュータ、無線センサ、および家電製品などを含み得る。
【０１０２】
通信システム１６００は、基地局１６１４ａおよび基地局１６１４ｂも含み得る。基地局１６１４ａ、１６１４ｂの各々は、コアネットワーク１６０６、インターネット１６１０および／またはネットワーク１６１２などの１つまたは複数の通信ネットワークへのアクセスを容易にするために、ＷＴＲＵ１６０２ａ、１６０２ｂ、１６０２ｃ、１６０２ｄの少なくとも１つと無線でインターフェースを取るように構成された、任意のタイプのデバイスとし得る。例えば、基地局１６１４ａ、１６１４ｂは、基地局（ＢＴＳ）、ノードＢ、ｅノードＢ、ホームノードＢ、ホームｅノードＢ、サイトコントローラ、アクセスポイント（ＡＰ）および無線ルータ等とし得る。基地局１６１４ａ、１６１４ｂは各々、単一の要素として示されているが、基地局１６１４ａ、１６１４ｂは、任意の数の相互接続された基地局および／またはネットワーク要素を含み得ることが理解されるべきである。
【０１０３】
基地局１６１４ａは、ＲＡＮ１６０４の部分とし得、ＲＡＮ１６０４は、他の基地局、および／または基地局コントローラ（ＢＳＣ）、無線ネットワークコントローラ（ＲＮＣ）、中継ノードなどのネットワーク要素（図示されず）も含み得る。基地局１６１４ａおよび／または基地局１６１４ｂは、セル（図示されず）と呼ばれることがある特定の地理的領域内において、無線信号を送信および／または受信するように構成され得る。セルは、さらに、セルセクタに分割され得る。例えば、基地局１６１４ａと関連付けられたセルは、３つのセクタに分割され得る。したがって、一実施形態においては、基地局１６１４ａは、送受信機を３つ、例えば、セルのセクタ毎に１つずつ含み得る。別の実施形態においては、基地局１６１４ａは、多入力多出力（ＭＩＭＯ）技術を利用し得、したがって、セルのセクタ毎に１つもしくは複数または多数の送受信機を利用し得る。
【０１０４】
基地局１６１４ａ、１６１４ｂは、エアインターフェース１６１６上においてＷＴＲＵ１６０２ａ、１６０２ｂ、１６０２ｃ、１６０２ｄの１つまたは複数と通信し得、エアインターフェース１６１６は、任意の適切な無線通信リンク（例えば、無線周波（ＲＦ）、マイクロ波、赤外線（ＩＲ）、紫外線（ＵＶ）、可視光など）とし得る。エアインターフェース１６１６は、任意の適切な無線アクセス技術（ＲＡＴ）を使用して確立され得る。
【０１０５】
より具体的には、上述されたように、通信システム１６００は、多元接続システムとし得、ＣＤＭＡ、ＴＤＭＡ、ＦＤＭＡ、ＯＦＤＭＡおよびＳＣ−ＦＤＭＡなどの、１つまたは複数のチャネルアクセス方式を利用し得る。例えば、ＲＡＮ１６０４内の基地局１６１４ａ、およびＷＴＲＵ１６０２ａ、１６０２ｂ、１６０２ｃは、広帯域ＣＤＭＡ（ＷＣＤＭＡ（登録商標））を使用してエアインターフェース１６１６を確立し得る、ユニバーサル移動体通信システム（ＵＭＴＳ）地上無線アクセス（ＵＴＲＡ）などの無線技術を実施し得る。ＷＣＤＭＡは、高速パケットアクセス（ＨＳＰＡ）および／または進化型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【０１０６】
基地局１６１４ａ、およびＷＴＲＵ１６０２ａ、１６０２ｂ、１６０２ｃは、ロングタームエボリューション（ＬＴＥ）および／またはＬＴＥアドバンスト（ＬＴＥ−Ａ）を使用してエアインターフェース１６１６を確立し得る、進化型ＵＭＴＳ地上無線アクセス（Ｅ−ＵＴＲＡ）などの無線技術を実施し得る。
【０１０７】
基地局１６１４ａ、およびＷＴＲＵ１６０２ａ、１６０２ｂ、１６０２ｃは、ＩＥＥＥ８０２．１６（例えば、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（ＥＤＧＥ）、およびＧＳＭ  ＥＤＧＥ（ＧＥＲＡＮ）などの無線技術を実施し得る。
【０１０８】
図２２Ａの基地局１６１４ｂは、例えば、無線ルータ、ホームノードＢ、ホームｅノードＢ、および／またはアクセスポイントとし得、職場、家庭、乗物およびキャンパスなどの局所的エリアにおける無線接続性を容易にするために、任意の適切なＲＡＴを利用し得る。一実施形態においては、基地局１６１４ｂ、およびＷＴＲＵ１６０２ｃ、１６０２ｄは、無線ローカルエリアネットワーク（ＷＬＡＮ）を確立するために、ＩＥＥＥ８０２．１１などの無線技術を実施し得る。別の実施形態においては、基地局１６１４ｂ、およびＷＴＲＵ１６０２ｃ、１６０２ｄは、無線パーソナルエリアネットワーク（ＷＰＡＮ）を確立するために、ＩＥＥＥ８０２．１５などの無線技術を実施し得る。また別の実施形態においては、基地局１６１４ｂ、およびＷＴＲＵ１６０２ｃ、１６０２ｄは、ピコセルおよび／またはフェムトセルを確立するために、セルラベースのＲＡＴ（例えば、ＷＣＤＭＡ、ＣＤＭＡ２０００、ＧＳＭ、ＬＴＥ、ＬＴＥ−Ａなど）を利用し得る。図２２Ａに示されるように、基地局１６１４ｂは、インターネット１６１０への直接的な接続を有することがある。したがって、基地局１６１４ｂは、コアネットワーク１６０６を介して、インターネット１６１０にアクセスする必要がないことがある。
【０１０９】
ＲＡＮ１６０４は、コアネットワーク１６０６と通信していることがあり、コアネットワーク１６０６は、音声、データ、アプリケーション、および／またはＶｏＩＰサービスをＷＴＲＵ１６０２ａ、１６０２ｂ、１６０２ｃ、１６０２ｄの１つまたは複数に提供するように構成された、任意のタイプのネットワークとし得る。例えば、コアネットワーク１６０６は、呼制御、請求サービス、モバイル位置情報サービス、プリペイド通話、インターネット接続性、ビデオ配信などを提供し得、および／またはユーザ認証など、高レベルのセキュリティ機能を実行し得る。図２２Ａには示されていないが、ＲＡＮ１６０４および／またはコアネットワーク１６０６は、ＲＡＮ１６０４と同じＲＡＴおよび／または異なるＲＡＴを利用する他のＲＡＮと直接的または間接的に通信し得ることが理解されるべきである。例えば、Ｅ−ＵＴＲＡ無線技術を利用し得るＲＡＮ１６０４に接続するのに加えて、コアネットワーク１６０６は、ＧＳＭ無線技術を利用する別のＲＡＮ（図示されず）と通信していることもある。
【０１１０】
コアネットワーク１６０６は、ＰＳＴＮ１６０８、インターネット１６１０、および／または他のネットワーク１６１２にアクセスするための、ＷＴＲＵ１６０２ａ、１６０２ｂ、１６０２ｃ、１６０２ｄのためのゲートウェイとしての役割も果たし得る。ＰＳＴＮ１６０８は、基本電話サービス（ＰＯＴＳ）を提供する回線交換電話網を含み得る。インターネット１６１０は、ＴＣＰ／ＩＰインターネットプロトコルスイート内のＴＣＰ、ＵＤＰおよびＩＰなど、共通の通信プロトコルを使用する、相互接続されたコンピュータネットワークおよびデバイスからなるグローバルシステムを含み得る。ネットワーク１６１２は、他のサービスプロバイダによって所有および／または運営される有線および／または無線通信ネットワークを含み得る。例えば、ネットワーク１６１２は、ＲＡＮ１６０４と同じＲＡＴおよび／または異なるＲＡＴを利用し得る１つまたは複数のＲＡＮに接続された、別のコアネットワークを含み得る。
【０１１１】
通信システム１６００内のＷＴＲＵ１６０２ａ、１６０２ｂ、１６０２ｃ、１６０２ｄのいくつかまたは全ては、マルチモード機能を含み得、例えば、ＷＴＲＵ１６０２ａ、１６０２ｂ、１６０２ｃ、１６０２ｄは、異なる無線リンク上において異なる無線ネットワークと通信するための１つもしくは複数または多数の送受信機を含み得る。例えば、図２２Ａに示されたＷＴＲＵ１６０２ｃは、セルラベースの無線技術を利用し得る基地局１６１４ａ、およびＩＥＥＥ８０２無線技術を利用し得る基地局１６１４ｂと通信するように構成され得る。
【０１１２】
図２２Ｂは、例示的なＷＴＲＵ１６０２のシステム図である。ＷＴＲＵは、ユーザ機器（ＵＥ）、移動局、ＷＬＡＮ  ＳＴＡ、固定もしくは移動加入者ユニット、ページャ、セルラ電話、ＰＤＡ、スマートフォン、ラップトップ、ネットブック、パーソナルコンピュータ、無線センサおよび家電製品などとし得る。ＷＴＲＵ１６０２は、本明細書で説明される通信システムの１つまたは複数において使用され得る。図２２Ｂに示されるように、ＷＴＲＵ１６０２は、プロセッサ１６１８と、送受信機１６２０と、送受信要素１６２２と、スピーカ／マイクロフォン１６２４と、キーパッド１６２６と、ディスプレイ／タッチパッド１６２８と、非リムーバブルメモリ１６３０と、リムーバブルメモリ１６３２と、電源１６３４と、ＧＰＳチップセット１６３６と、他の周辺機器１６３８とを含み得る。ＷＴＲＵ１６０２は、実施形態との整合性を保ちながら、上記の要素の任意のサブコンビネーションを含み得ることが理解されるべきである。
【０１１３】
プロセッサ１６１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、ＡＳＩＣ、ＦＰＧＡ回路、他の任意のタイプの集積回路（ＩＣ）および状態機械などを含み得る。プロセッサ１６１８は、信号符号化、データ処理、電力制御、入出力処理および／またはＷＴＲＵ１６０２が無線環境において動作することを可能にする他の任意の機能を実行し得る。プロセッサ１６１８は、送受信機１６２０に結合され得、送受信機１６２０は、送受信要素１６２２に結合され得る。図２２Ｂは、プロセッサ１６１８と送受信機１６２０を別々のコンポーネントとして示しているが、プロセッサ１６１８と送受信機１６２０は、電子パッケージおよび／またはチップ内に一緒に統合され得ることが理解されるべきである。
【０１１４】
送受信要素１６２２は、エアインターフェース１６１６上において、基地局（例えば、基地局１６１４ａ）に信号を送信し、または基地局から信号を受信するように構成され得る。例えば、一実施形態においては、送受信要素１６２２は、ＲＦ信号を送信および／または受信するように構成されたアンテナとし得る。別の実施形態においては、送受信要素１６２２は、例えば、ＩＲ、ＵＶ、および／または可視光信号を送信および／または受信するように構成された放射器／検出器とし得る。また別の実施形態においては、送受信要素１６２２は、ＲＦ信号および光信号の両方を送信および受信するように構成され得る。送受信要素１６２２は、無線信号の任意の組み合わせを送信および／または受信するように構成され得ることが理解されるべきである。
【０１１５】
また、図２２Ｂでは、送受信要素１６２２は、単一の要素として示されているが、ＷＴＲＵ１６０２は、任意の数の送受信要素１６２２を含み得る。より具体的には、ＷＴＲＵ１６０２は、ＭＩＭＯ技術を利用し得る。したがって、一実施形態においては、ＷＴＲＵ１６０２は、エアインターフェース１６１６上において無線信号を送信および受信するための２以上の送受信要素１６２２（例えば、１つもしくは複数または多数のアンテナ）を含み得る。
【０１１６】
送受信機１６２０は、送受信要素１６２２によって送信される信号を変調し、送受信要素１６２２によって受信された信号を復調するように構成され得る。上述されたように、ＷＴＲＵ１６０２は、マルチモード機能を有し得る。したがって、送受信機１６２０は、ＷＴＲＵ１６０２が、例えば、ＵＴＲＡおよびＩＥＥＥ８０２．１１などの１つもしくは複数または多数のＲＡＴを介して通信することを可能にするための、１つもしくは複数または多数の送受信機を含み得る。
【０１１７】
ＷＴＲＵ１６０２のプロセッサ１６１８は、スピーカ／マイクロフォン１６２４、キーパッド１６２６、並びに／またはディスプレイ／タッチパッド１６２８（例えば、液晶表示（ＬＣＤ）ディスプレイユニットおよび／もしくは有機発光ダイオード（ＯＬＥＤ）ディスプレイユニット）に結合され得、それらからユーザ入力データを受け取り得る。プロセッサ１６１８は、また、スピーカ／マイクロフォン１６２４、キーパッド１６２６、および／またはディスプレイ／タッチパッド１６２８にユーザデータを出力し得る。また、プロセッサ１６１８は、非リムーバブルメモリ１６３０および／またはリムーバブルメモリ１６３２など、任意のタイプの適切なメモリから情報を入手し得、それらにデータを記憶し得る。非リムーバブルメモリ１６３０は、ＲＡＭ、ＲＯＭ、ハードディスク、および／または他の任意のタイプのメモリ記憶デバイスを含み得る。リムーバブルメモリ１６３２は、ＳＩＭカード、メモリスティック、およびセキュアデジタル（ＳＤ）メモリカードなどを含み得る。他の実施形態においては、プロセッサ１６１８は、サーバおよび／またはホームコンピュータ（図示されず）上などにある、ＷＴＲＵ１６０２上に物理的に配置されていないメモリから情報を入手し得、それらにデータを記憶し得る。
【０１１８】
プロセッサ１６１８は、電源１６３４から電力を受け取り得、ＷＴＲＵ１６０２内の他のコンポーネントへの電力の分配および／または制御を行うように構成され得る。電源１６３４は、ＷＴＲＵ１６０２に給電するための任意の適切なデバイスとし得る。例えば、電源１６３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含み得る。
【０１１９】
プロセッサ１６１８は、ＧＰＳチップセット１６３６にも結合され得、ＧＰＳチップセット１６３６は、ＷＴＲＵ１６０２の現在位置に関する位置情報（例えば、経度および緯度）を提供するように構成され得る。ＧＰＳチップセット１６３６からの情報に加えて、および／またはその代わりに、ＷＴＲＵ１６０２は、基地局（例えば、基地局１６１４ａ、１６１４ｂ）からエアインターフェース１６１６上において位置情報を受信し得、および／または２以上の近くの基地局から受信した信号のタイミングに基づいて、自らの位置を決定し得る。ＷＴＲＵ１６０２は、説明されたデバイス、システム、および／または技法のうちの１つまたは複数との整合性を保ちながら、任意の適切な位置決定方法を用いて、位置情報を獲得し得ることが理解されるべきである。
【０１２０】
プロセッサ１６１８は、他の周辺機器１６３８にさらに結合され得、他の周辺機器１６３８は、追加的な特徴、機能および／または有線もしくは無線接続性を提供する、１つまたは複数のソフトウェアモジュールおよび／またはハードウェアモジュールを含み得る。例えば、周辺機器１６３８は、加速度計、ｅコンパス、衛星送受信機、（写真および／またはビデオ用の）デジタルカメラ、ＵＳＢポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、並びにインターネットブラウザなどを含み得る。
【０１２１】
上記では特徴および要素が特定の組み合わせで説明されたが、１つもしくは複数または各特徴および／または要素は、単独で使用され得、または他の特徴および要素との任意の組み合わせで使用され得ることを当業者は理解する。本明細書において説明された８０２．１１プロトコル以外に、本明細書において説明された特徴および要素は、他の無線システムに適用可能であり得る。本明細書において説明された特徴および要素は、アップリンク動作について説明され得たが、方法および手順は、ダウンリンク動作に適用され得る。様々なフレーム間隔を示すために、本明細書においては、ＳＩＦＳが使用され得たが、他のフレーム間隔、例えば、ＲＩＦＳまたは他の合意された時間間隔が適用され得る。また、本明細書において説明された方法は、コンピュータおよび／またはプロセッサによって実行される、コンピュータ可読媒体内に含まれた、コンピュータプログラム、ソフトウェアおよび／またはファームウェアで実施され得る。コンピュータ可読媒体の例は、（有線および／または無線接続上で送信される）電子信号、およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびデジタル多用途ディスク（ＤＶＤ）などの光媒体を含むが、それらに限定されない。ＷＴＲＵ、ＵＥ、端末、基地局、ＲＮＣ、および／または任意のホストコンピュータにおいて使用するための無線周波送受信機を実施するために、ソフトウェアと連携するプロセッサが使用され得る。
【図１】
0006697003.tif 000006
【図２】
0006697003.tif 000007
【図３】
0006697003.tif 000008
【図４】
0006697003.tif 000009
【図５】
0006697003.tif 000010
【図６】
0006697003.tif 000011
【図７】
0006697003.tif 000012
【図８】
0006697003.tif 000013
【図９】
0006697003.tif 000014
【図１０】
0006697003.tif 000015
【図１１Ａ】
0006697003.tif 000016
【図１１Ｂ】
0006697003.tif 000017
【図１２】
0006697003.tif 000018
【図１３】
0006697003.tif 000019
【図１４Ａ】
0006697003.tif 000020
【図１４Ｂ】
0006697003.tif 000021
【図１５】
0006697003.tif 000022
【図１６】
0006697003.tif 000023
【図１７】
0006697003.tif 000024
【図１８】
0006697003.tif 000025
【図１９】
0006697003.tif 000026
【図２０】
0006697003.tif 000027
【図２１】
0006697003.tif 000028
【図２２Ａ】
0006697003.tif 000029
【図２２Ｂ】
0006697003.tif 000030